(57)【特許請求の範囲】
【請求項１】
媒体収容部を備える画像形成装置において、
前記他の画像形成装置に割り当てられ、当該他の画像形成装置の媒体収容部を識別するための第１媒体収容部選択情報と自装置に割り当てられ、当該自装置の媒体収容部を識別するための第２媒体収容部選択情報とを対応つけた収容部選択情報対応付け情報を記憶する第１の記憶部と、
上位装置から前記第１媒体収容部選択情報と画像データとを受信する受信部と、
前記第１の記憶部に記憶されている前記収容部選択情報対応付け情報に基づき、前記上位装置から受信した前記第１媒体収容部選択情報を第２媒体収容部選択情報に補正する補正部と、
前記補正部により補正された第２媒体収容部選択情報に基づいて、媒体収容部を選択する選択部と、
前記第１媒体収容部選択情報を記憶する第２の記憶部と、
前記他の画像形成装置の媒体収容部名と対応する自装置の媒体収容部名を入力するための媒体収容部名設定入力画面を表示する表示部と、
前記自装置の媒体収容部名と該自装置の第２媒体収容部選択情報とを対応付けた媒体収容部名対応情報を記憶する第３の記憶部と、
前記各媒体収容部について、前記第２の記憶部に記憶された前記第１媒体収容部選択情報と、前記第３の記憶部に記憶されている媒体収容部名対応情報を参照して得た、前記媒体収容部名設定画面において入力された自装置の媒体収容部名に対応する第２媒体収容部選択情報とを対応つけた前記収容部選択情報対応付け情報を生成する収容部選択情報対応付け情報生成部と、
前記収容部選択情報対応付け情報生成部により生成された前記収容部選択情報対応付け情報を前記第１の記憶部に登録する登録部と、
前記媒体収容部名設定入力画面の表示データ以外の、前記自装置にない新たな表示データを前記上位装置から受信する表示データ受信部を備え、
前記表示部は、前記媒体収容部名設定入力画面の表示データに前記表示データ受信部が受信した表示データを追加した新たな媒体収容部名設定入力画面を表示することを特徴とする画像形成装置。
【発明の詳細な説明】
【技術分野】
【０００１】
本発明は、複数のトレイ又は複数のスタッカーが備えられた画像形成装置に関する。
【背景技術】
【０００２】
従来、複数トレイを備える給紙部と、複数のスタッカーとを備える排紙部とが設けられた画像形成装置は、ＰＤＬ（Ｐａｇｅ  Ｄｅｓｃｒｉｐｔｉｏｎ  Ｌａｎｇｕａｇｅ）と呼ばれるプリンタ言語形式の印刷ＪＯＢデータを受信し、この印刷ＪＯＢデータ内に記述されているコード化された給紙位置指定情報及び排紙位置指定情報を取得し、この給紙位置情報及び排紙位置指定情報に基づき、複数あるトレイ又はスタッカーの内の１つを選択して印刷処理を行っている（例えば、特許文献１参照）。
【０００３】
ところで、上位装置から受信した印刷ＪＯＢデータに記述された画像データを印刷する複数の画像形成装置を備える画像形成システムにおいて、印刷ＪＯＢデータに記述されている給紙位置指定情報又は排紙位置指定情報が異なる画像形成装置を追加設置している。
【特許文献１】特開平１１−２２７９６７号公報
【発明の開示】
【発明が解決しようとする課題】
【０００４】
しかしながら、上述の従来の画像形成システムでは、印刷ＪＯＢデータに記述されている給紙位置指定情報又は排紙位置指定情報が異なる画像形成装置を追加設置した場合、ユーザが上位装置からこの追加設置した画像形成装置に印刷依頼をした場合には、この追加設置した画像形成装置の給紙位置又は排紙位置が他の画像形成装置と異なるので、ユーザが希望する給紙位置と異なるトレイから用紙が給紙され、又は、排紙位置と異なるスタッカーから用紙が排紙されてしまうという問題点があった。
【０００５】
そこで、本発明は上述した問題点に鑑み、印刷ＪＯＢデータに記述されている給紙位置指定情報又は排紙位置指定情報が異なる画像形成装置を追加設置した場合において、ユーザが望む給紙位置から用紙を給紙し、また、排紙位置に用紙を排紙することが可能な画像形成装置を提供することを目的とする。
【課題を解決するための手段】
【０００６】
上記課題を解決するため、本発明は、媒体収容部を備える画像形成装置において、前記他の画像形成装置に割り当てられ、当該他の画像形成装置の媒体収容部を識別するための第１媒体収容部選択情報と自装置に割り当てられ、当該自装置の媒体収容部を識別するための第２媒体収容部選択情報とを対応つけた収容部選択情報対応付け情報を記憶する第１の記憶部と、上位装置から前記第１媒体収容部選択情報と画像データとを受信する受信部と、前記第１の記憶部に記憶されている前記収容部選択情報対応付け情報に基づき、前記上位装置から受信した前記第１媒体収容部選択情報を第２媒体収容部選択情報に補正する補正部と、前記補正部により補正された第２媒体収容部選択情報に基づいて、媒体収容部を選択する選択部と、前記第１媒体収容部選択情報を記憶する第２の記憶部と、前記他の画像形成装置の媒体収容部名と対応する自装置の媒体収容部名を入力するための媒体収容部名設定入力画面を表示する表示部と、前記自装置の媒体収容部名と該自装置の第２媒体収容部選択情報とを対応付けた媒体収容部名対応情報を記憶する第３の記憶部と、前記各媒体収容部について、前記第２の記憶部に記憶された前記第１媒体収容部選択情報と、前記第３の記憶部に記憶されている媒体収容部名対応情報を参照して得た、前記媒体収容部名設定画面において入力された自装置の媒体収容部名に対応する第２媒体収容部選択情報とを対応つけた前記収容部選択情報対応付け情報を生成する収容部選択情報対応付け情報生成部と、前記収容部選択情報対応付け情報生成部により生成された前記収容部選択情報対応付け情報を前記第１の記憶部に登録する登録部と、前記媒体収容部名設定入力画面の表示データ以外の、前記自装置にない新たな表示データを前記上位装置から受信する表示データ受信部を備え、前記表示部は、前記媒体収容部名設定入力画面の表示データに前記表示データ受信部が受信した表示データを追加した新たな媒体収容部名設定入力画面を表示する。
【発明の効果】
【０００７】
以上、本発明によれば、第１の記憶部に記憶されている収容部選択情報対応付け情報に基づき、上位装置から受信した第１媒体収容部選択情報が補正部により第２媒体収容部選択情報に補正され、選択部が補正された第２媒体収容部選択情報に基づいて、媒体収容部を選択するので、他の画像形成装置に割り当てられた第１媒体収容部選択情報と異なる第２媒体収容部選択情報が割り当てられる画像形成装置を追加設置した場合において、ユーザが望む媒体収容部から用紙を給紙し、また、媒体収容部に用紙を排紙することができる。
【発明を実施するための最良の形態】
【０００８】
次に、本発明を実施するための最良の形態を説明する。
【実施例１】
【０００９】
図１は、本発明に係る実施例１の画像形成装置が使用された画像形成システムの構成を示すブロック図である。図２は、本発明に係る実施例１の画像形成装置の概略構成図である。図１に示すように、実施例１の画像形成装置１は、同一なプリンタ言語（ＰＤＬ（ＰＣＬ、ＰＳ等）、ＳＩＤＭ）を解釈する複数の画像形成装置（以下、標準画像形成装置という）３とともに、イーサネット（登録商標）等のネットワークケーブル、セントロニクス、ＵＳＢ、ＲＳ２３２Ｃ等のケーブル４により上位装置としてのユーザ端末２と接続されている。
【００１０】
実施例１の画像形成装置１は、標準画像形成装置３と異なるプリンタ言語を解釈する画像形成装置であって、図２に示すように、コントローラ部１１と、エンジン制御部１２と、給紙部１３と、排紙部１４と、用紙走行部１５と、オペレータパネル部１６と、印刷制御部１７とを備えている。この画像形成装置１は、上述したように、標準画像形成装置３と異なるプリンタ言語を解釈するので、給紙部１３に設けられたトレイごとに割り当てられたトレイを識別するトレイ選択ＩＤ（以下、実施装置トレイ選択ＩＤ（第２媒体収容部選択情報）という）が、標準画像形成装置３の給紙部に設けられたトレイごとに割り当てられたトレイを識別するトレイ選択ＩＤ（以下、標準装置トレイ選択ＩＤ（第１媒体収容部選択情報）という）と異なり、また、排紙部１４に設けられたスタッカーごとに割り当てられたスタッカーを識別するスタッカー選択ＩＤ（以下、実施装置スタッカー選択ＩＤ（第２媒体収容部選択情報）という）が、標準画像形成装置３の排紙部に設けられたスタッカーごとに割り当てられたスタッカーを識別するスタッカー選択ＩＤ（以下、標準装置スタッカー選択ＩＤ（第１媒体収容部選択情報）という）と異なる。
【００１１】
コントローラ部１１は、図３に示すように、Ｉ／Ｆ送受信処理部１１１、ＲＡＭメモリ１１２、解析／編集処理部１１３、展開処理部１１４、ＶＩＤＥＯ処理部１１５、ステータス制御部１１６、パネル処理部１１７、不揮発性メモリ１１８、メニュー処理部１１９、初期化処理部１２０、選択ＩＤ補正処理部１２１、及びエンジンＩ／Ｆ制御部１２２を備えている。
【００１２】
Ｉ／Ｆ送受信処理部１１１は、ユーザ端末２から印刷ＪＯＢデータを受信し、この印刷ＪＯＢデータをＲＡＭメモリ１１２の送受信バッファ１１２ａに格納するとともに、解析／編集処理部１１３に印刷ＪＯＢデータが送信されてきた旨の通知を出力する。また、Ｉ／Ｆ送受信処理部１１１は、ＲＡＭメモリ１１２の送受信バッファ１１２ａに格納されているエラーメッセージやステータス情報等の送信データを、ケーブル４を介してユーザ端末２に送信する。
【００１３】
なお、図４に示すように、印刷ＪＯＢデータは、エミュレーション名、編集サイズ、媒体厚、印刷解像度、トレイ選択ＩＤ、スタッカー選択ＩＤ等の印刷指定情報、及び描画データを有している。エミュレーション名には解析／編集処理部１１３が印刷指定情報を解析・編集する際に使用されるエミュレーションの名称が記述されており、編集サイズには印刷する用紙のサイズに合わせた編集サイズが記述されており、媒体厚には印刷媒体の厚みが記述されている。印刷解像度には用紙に転写する画像の解像度が記述されており、標準装置トレイ選択ＩＤには用紙を給紙するトレイを選択するためのＩＤが記述されており、標準装置スタッカー選択ＩＤには用紙を排紙するスタッカーを選択するためのＩＤが記述されている。
【００１４】
図３に示すＲＡＭメモリ１１２は、上述した送受信バッファ１１２ａと、印刷処理を行う際に必要な情報を記憶するワーク領域１１２ｂと、編集ページ情報（後述する）を記憶する編集ページ情報記憶領域１１２ｃとを有する。
【００１５】
解析／編集処理部１１３は、印刷ＪＯＢデータが送信されてきた旨の通知をＩ／Ｆ送受信処理部１１１から入力されると、ＲＡＭ１１２の送受信バッファ１１２ａに記憶されている印刷ＪＯＢデータを読出し、この印刷ＪＯＢデータに記述されているエミュレーション名、並びに、標準装置トレイ選択ＩＤ及び標準装置スタッカー選択ＩＤを選択ＩＤ補正処理部１２１に出力するとともに、標準画像形成装置３に割り当てられた標準装置トレイ選択ＩＤ及び標準装置スタッカー選択ＩＤのそれぞれを、実施例１の画像形成装置１に割り当てられた実施装置トレイ選択ＩＤ及び実施装置スタッカー選択ＩＤに補正させる要求を、選択ＩＤ補正処理部１２１に出力する。
【００１６】
また、解析／編集処理部１１３は、標準装置トレイ選択ＩＤを補正した実施装置トレイ選択ＩＤ）、及び、標準装置スタッカー選択ＩＤを補正した実施装置スタッカー選択ＩＤを選択ＩＤ補正処理部１２１から入力されると、これらの実施装置トレイ選択ＩＤ及び実施装置スタッカー選択ＩＤをエンジンＩ／Ｆ制御部１２２に出力する。
【００１７】
また、解析／編集処理部１１３は、印刷ＪＯＢデータに記述されている媒体厚及び印刷解像度をＶＩＤＥＯ処理部１１５に出力する。
【００１８】
また、解析／編集処理部１１３は、印刷ＪＯＢデータに埋め込まれている編集サイズ、を読み出し、この編集サイズを基にして印刷ＪＯＢデータに記述されている描画データをページ単位に編集した編集ページ情報を生成し、この編集ページ情報をＲＡＭメモリ１１２の編集ページ情報記憶領域１１２ｃに書き込むとともに、展開処理の実行要求を展開処理部１１４に出力する。
【００１９】
展開処理部１１４は、前述の実行要求が解析／編集処理部１１３から入力されると、ＲＡＭメモリ１１２の編集ページ情報記憶領域１１２ｃに記憶されている編集ページ情報を読み出し、この編集ページ情報をラスターデータとしての印刷イメージデータに作成し、この印刷イメージデータを圧縮又は伸張処理した印刷イメージデータをエンジンＩ／Ｆ制御部１２２に出力する。ここで、圧縮処理部１１４ａは、印刷イメージデータを圧縮し、伸張処理部１１４ｂは、印刷イメージデータを伸張する。
【００２０】
ＶＩＤＥＯ処理部１１５は、解析／編集処理部１１３から入力された媒体厚及び印刷解像度に基づき描画データを用紙に印刷したときの画質等を指定する印刷制御パラメータを生成し、このパラメータをエンジンＩ／Ｆ制御部１２２に出力する。
【００２１】
ステータス制御部１１６は、エンジンＩ／Ｆ制御部１２２を介して入力された各種センサ（図示せず）から出力されたセンサ情報に基づき、実施例１の画像形成装置１に異常が発生したことを示すアラームや装置の状態を示すステータス情報からなるステータス情報をＲＡＭメモリ１１２の送受信バッファ１１２ａ及びパネル処理部１１７に出力する。
【００２２】
パネル処理部１１７は、図５に示すトレイ／スタッカー選択ＩＤ入力画面の表示データ（媒体収容部名対応情報）を、不揮発性メモリ１１８の表示データ記憶部１１８ｉからメニュー処理部１１９を介して読出し、このトレイ／スタッカー選択ＩＤ入力画面（媒体収容部名設定入力画面）をオペレータパネル部１６の表示部１６１（表示部）に表示させる。
【００２３】
図５に示すように、トレイ／スタッカー選択ＩＤ入力画面は、不揮発メモリ１８のトレイ選択ＩＤ変換テーブル１１８ｃ（後述する）及びスタッカー選択ＩＤ変換テーブル１１８ｄ（後述する）を作成する際に必要となる情報が入力される表示画面であって、図５に示すように、エミュレーション名入力欄と、トレイＮｏ表示欄と、実施装置トレイ名表示欄と、実施装置トレイ選択ＩＤ入力欄と、スタッカーＮｏ表示欄と、実施装置スタッカー名表示欄と、実施装置スタッカー選択ＩＤ入力欄と、ＯＫボタンとが表示されている。エミュレーション名入力欄には、実施例１の画像形成装置１に使用されるエミュレーション名が入力され、実施装置トレイ名表示欄には、トレイＮｏに示されたトレイの名称が表示され、実施装置トレイ選択ＩＤ入力欄には、実施例１の画像形成装置１が備えるトレイに割り当てる実施装置トレイ選択ＩＤが入力される。また、実施装置スタッカー名表示欄には、スタッカーＮｏに示されたスタッカーの名称が表示され、実施装置スタッカー選択ＩＤ入力欄には、実施例１の画像形成装置１が備えるスタッカーに割り当てる実施装置スタッカー選択ＩＤが入力される。
【００２４】
また、パネル処理部１１７は、前述のトレイ／スタッカー選択ＩＤ入力画面中のＯＫボタンがユーザによりクリックされると、エミュレーション名入力欄に入力されたエミュレーション名、画面の中のトレイＮｏ及び実施装置トレイ選択ＩＤ入力欄に入力された実施装置トレイ選択ＩＤの組でなるトレイ選択ＩＤ入力データを生成し、この生成したトレイ選択ＩＤ入力データをＲＡＭ１１２のワーク領域１１２ｂに書き込む。また、パネル処理部１１７は、エミュレーション名入力欄に入力されたエミュレーション名、画面の中のスタッカーＮｏ、実施装置スタッカー選択ＩＤ入力欄に入力された実施装置スタッカー選択ＩＤの組でなるスタッカー選択ＩＤ入力データを生成し、この生成したスタッカー選択ＩＤ入力データをＲＡＭメモリ１１２のワーク領域１１２ｂに書き込む。
【００２５】
また、パネル処理部１１７は、トレイ選択ＩＤデータ及びスタッカー選択ＩＤデータをＲＡＭメモリ１１２のワーク領域１１ｃに書き込むと、トレイ選択ＩＤ変換テーブル１１８ｃ及びスタッカー選択ＩＤ変換テーブル１１８ｄの作成要求をメニュー処理部１１９に出力する。
【００２６】
不揮発性メモリ１１８は、例えばＥＰＲＯＭからなり、標準装置トレイ選択ＩＤ参照リストＤＢ（データベース）１１８ａ、標準装置スタッカー選択ＩＤ参照リストＤＢ１１８ｂ、トレイ選択ＩＤ変換テーブル１１８ｃ、スタッカー選択ＩＤ変換テーブル１１８ｄ、及び、上述した表示データ記憶部１１８ｉを有する。
【００２７】
標準装置トレイ選択ＩＤ参照リストＤＢ１１８ａは、エミュレーション名がＰＣＬ、ＰＳ、及び、ＳＩＤＭの標準トレイ選択参照リストを記憶する。エミュレーション名がＰＣＬ、ＰＳ、及び、ＳＩＤＭの標準トレイ選択参照リストの各々は、図６（ａ）に示すように、標準画像形成装置３に使用されているエミュレーション名、標準画像形成装置３に割り当てられたトレイＮｏ、このトレイＮｏに設置されているトレイの名称（以下、標準装置トレイ名という）、及び、この標準装置トレイ名のトレイに割り当てられた標準装置トレイ選択ＩＤの組からなるデータが記述されている。
【００２８】
標準装置スタッカー選択ＩＤ参照リストＤＢ１１８ｂは、エミュレーション名がＰＣＬ、ＰＳ、及び、ＳＩＤＭの標準スタッカー選択参照リストを記憶する。エミュレーション名がＰＣＬ、ＰＳ、及び、ＳＩＤＭの標準スタッカー選択参照リストの各々は、図６（ｂ）に示すように、標準画像形成装置３に使用されているエミュレーション名、標準画像形成装置３に割り当てられたスタッカーＮｏ、このスタッカーＮｏに設置されているスタッカーの名称（以下、標準装置スタッカー名という）、及び、この標準装置スタッカー名のスタッカーに割り当てられた標準装置スタッカー選択ＩＤの組からなるデータが記述されている。
【００２９】
トレイ選択ＩＤ変換テーブル１１８ｃは、図７（ａ）に示すように、標準画像形成装置３及び実施例１の画像形成装置１に割り当てられたレイＮｏ、並びに、トレイＮｏに対応する標準装置トレイ選択ＩＤ及び実施装置トレイ選択ＩＤとの組からなるデータ（収容部選択情報対応付け情報）が記述されている。
【００３０】
スタッカー選択ＩＤ変換テーブル１１８ｄは、図７（ｂ）に示すように、標準画像形成装置３及び実施例１の画像形成装置１に割り当てられたスタッカーＮｏ、並びに、スタッカーＮｏに対応する標準装置スタッカー選択ＩＤ及び実施装置スタッカー選択ＩＤとの組からなるデータ（収容部選択情報対応付け情報）が記述されている。
【００３１】
メニュー処理部１１９は、トレイ選択ＩＤ変換テーブル１１８ｃ及びスタッカー選択ＩＤ変換テーブル１１８ｄの作成要求がパネル処理部１１７から入力されると、ＲＡＭメモリ１１２のワーク領域１１２ｂからトレイ選択ＩＤ入力データを読み出す。そして、メニュー処理部１１９は、標準装置トレイ選択ＩＤ参照リストＤＢ１１８ａに記憶されている標準装置トレイ選択ＩＤ参照リストから、先に読み出したトレイ選択ＩＤ入力データに記述されたトレイＮｏに対応する標準装置トレイ選択ＩＤを読み出す。また、メニュー処理部１１９は、読み出したトレイ選択ＩＤ入力データに記述されているトレイＮｏ、先に標準装置トレイ選択ＩＤ参照リストから読み出した標準装置トレイ選択ＩＤ、及び、読み出したトレイ選択ＩＤ入力データに記述されている実施装置トレイ選択ＩＤからなるトレイ選択変換テーブルデータを生成し、このトレイ選択変換テーブルデータを不揮発性メモリ１１８のトレイ選択ＩＤ変換テーブル１１８ｃに登録する。
【００３２】
また、メニュー処理部１１９は、トレイ選択ＩＤ変換テーブル１１８ｃ及びスタッカー選択ＩＤ変換テーブル１１８ｄの作成要求がパネル処理部１１７から入力されると、ＲＡＭメモリ１１２のワーク領域１１２ｂからスタッカー選択ＩＤ入力データを読み出す。そして、メニュー処理部１１９は、標準装置スタッカー選択ＩＤ参照リストＤＢ１１８ｂに記憶されている標準装置スタッカー選択ＩＤ参照リストから、読み出したスタッカー選択ＩＤ入力データに記述されたスタッカーＮｏに対応する標準装置スタッカー選択ＩＤを読み出す。また、メニュー処理部１１９は、読み出したスタッカー選択ＩＤ入力データに記述されているスタッカーＮｏ、先に標準装置スタッカー選択ＩＤ参照リストから読み出した標準装置スタッカー選択ＩＤ、及び、読み出したスタッカー選択ＩＤ入力データに記述されている実施装置スタッカー選択ＩＤからなるスタッカー選択変換テーブルデータを生成し、このスタッカー選択変換テーブルデータを不揮発性メモリ１１８のスタッカー選択ＩＤ変換テーブル１１８ｄに登録する。
【００３３】
初期化処理部１２０は、電源投入時のコントローラ部１１全体の初期化を行う。
【００３４】
選択ＩＤ補正処理部１２１は、標準装置トレイ選択ＩＤ及び標準装置スタッカー選択ＩＤが解析／編集処理部１１３から入力されると、標準装置トレイ選択ＩＤに対応する実施装置トレイ選択ＩＤを、不揮発性メモリ１１８に有するトレイ選択ＩＤ変換テーブル１１８ｃから読出すとともに、標準装置スタッカー選択ＩＤに対応する実施装置スタッカー選択ＩＤを、不揮発性メモリ１１８に有するスタッカー選択ＩＤ変換テーブル１１８ｄから読出す。また、選択ＩＤ補正処理部１２１は、読み出した実施装置トレイ選択ＩＤ及び実施装置スタッカー選択ＩＤを解析／編集処理部１１３に出力する。
【００３５】
エンジンＩ／Ｆ制御部１２２は、解析／編集処理部１１３から入力された実施装置トレイ選択ＩＤ及び実施装置スタッカー選択ＩＤ、並びに展開処理部１１４から入力された印刷イメージデータ、並びに、ＶＩＤＥＯ処理部１１５から入力された印刷画質等を規定する印刷制御パラメータを印刷制御部１７に出力するとともに、起動の開始要求をエンジン制御部１２に出力する。また、エンジンＩ／Ｆ制御部１２２は、エンジン制御部１２に設けられた各種センサ（図示せず）からのセンサ情報に基づき、実施例１の画像形成装置１に異常が発生したことを示すアラームや装置の状態を示すステータス情報をステータス制御部１１６に出力する。
【００３６】
図２に示すエンジン制御部１２は、エンジンＩ／Ｆ制御部１２２から起動開始要求が入力されると、モータを駆動し、後述する感光ドラム１５ａ、後述する転写ローラ１５ｃ、後述する定着ローラ１５ｅ、後述するピックアップローラ１５ｆ、後述するレジストローラ１５ｇ、後述するアイドルローラ１５ｈ、後述するドライブローラ１５ｉ、後述する搬送ローラ１５ｊ、及び、後述する排出ローラ１５ｋを適宜回転させる。
【００３７】
また、エンジン制御部１２は、エンジンＩ／Ｆ制御部１２２から入力された実施装置トレイ選択ＩＤ及び実施例スタッカー選択ＩＤに基づき、印刷イメージデータを用紙に印刷する際のトレイ位置を示す情報を給紙部１３に出力するとともに、印刷したのち用紙の排紙先のスタッカー位置を示す情報を排紙部１４に出力する。
【００３８】
給紙部１３は、図１に示すように、上から下に向かってトレイ（Ｔｒａｙ）１、トレイ（Ｔｒａｙ）２、トレイ（Ｔｒａｙ）３、トレイ（Ｔｒａｙ）４、トレイ（Ｔｒａｙ）５、トレイ（Ｔｒａｙ）６が設けられている。そして、トレイ１は、トレイＮｏが「１」が割り当てられ、かつ、このトレイ名が「Ｍｕｌｔｉ  Ｆｅｅｄｅｒ」である。トレイ２は、トレイＮｏが「２」が割り当てられ、かつ、このトレイ名が「Ｉｎｐｕｔ  Ｔｒａｙ１」である。トレイ３は、トレイＮｏが「３」が割り当てられ、かつ、このトレイ名が「Ｉｎｐｕｔ  Ｔｒａｙ２」ある。トレイ４は、トレイＮｏが「４」が割り当てられ、かつ、このトレイ名が「Ｉｎｐｕｔ  Ｔｒａｙ３」である。トレイ５は、トレイＮｏが「５」が割り当てられ、かつ、このトレイ名が「Ｉｎｐｕｔ  Ｔｒａｙ４」である。トレイ６は、トレイＮｏが「６」が割り当てられ、かつ、このトレイ名が「Ｉｎｐｕｔ  Ｔｒａｙ５」である。
【００３９】
排紙部１４は、下から上に向かってスタッカー（Ｓｔａｃｋｅｒ）０、スタッカー（Ｓｔａｃｋｅｒ）１、スタッカー（Ｓｔａｃｋｅｒ）２、スタッカー（Ｓｔａｃｋｅｒ）３、スタッカー（Ｓｔａｃｋｅｒ）４が設けられている。スタッカー０は、スタッカーＮｏが「１」が割り当てられ、かつ、スタッカー名が「Ｓｔａｃｋｅｒ０」である。スタッカー１は、スタッカーＮｏが「２」が割り当てられ、かつ、スタッカー名が「Ｓｔａｃｋｅｒ１」である。スタッカー２は、スタッカーＮｏが「３」が割り当てられ、かつ、スタッカー名が「Ｓｔａｃｋｅｒ２」である。スタッカー３は、スタッカーＮｏが「４」が割り当てられ、かつ、スタッカー名が「Ｓｔａｃｋｅｒ３」である。スタッカー４は、スタッカーＮｏが「５」が割り当てられ、かつ、スタッカー名が「Ｓｔａｃｋｅｒ４」である。
【００４０】
用紙走行部１５は、ブラック、イエロー、マゼンタ、シアンに分けられ、画像を担持する為の感光ドラム１５ａ、感光ドラム１５ａをマイナス帯電させるための帯電器（図示せず）、感光ドラム１５ａに静電潜像を形成するための光を照射するＬＥＤを有する露光器１５ｂ、感光ドラム１５ａに形成された静電潜像を現像剤であるマイナス帯電したトナーを用いて可視化するための現像器（図示せず）、用紙にトナー像を転写する転写ローラ１５ｃを有する転写器（図示せず）、用紙に転写したトナー像が定着させる定着ローラ１５ｅを有する定着器１５ｄを備えている。
【００４１】
また、用紙走行部１５は、給紙部１３から給紙されその後排紙部１４に排紙されるまでの用紙が搬送される走行路上に、給紙部１３のトレイから用紙を引き出すピックアップローラ１５ｆ、互いに圧接して設けられ用紙を感光ドラム１５ａに供給するレジストローラ１５ｇ、転写ベルトに一定の張力を持たせるアイドルローラ１５ｈ及びドライブローラ１５ｉ、用紙を搬送する搬送ローラ１５ｊ、トナー像を定着した用紙を排紙部１４に排出する排出ローラ１５ｋ、感光ドラム１５ａに付着したトナーをクリーニングするクリーニングローラ１５ｌ等のローラを備えている。
【００４２】
オペレータパネル部１６は、表示部１６１と操作部１６２と有している。表示部１６１は、例えば、上述したトレイ／スタッカー選択ＩＤ入力画面を表示する。操作部１６２は、例えば、トレイ／スタッカー選択ＩＤ入力画面に表示されている入力欄に入力情報を入力するための各種操作キーを有している。
【００４３】
印刷制御部１７は、エンジンＩ／Ｆ制御部１２２から入力された印刷イメージデータ、並びに、媒体厚及び印刷制御パラメータが入力されると、感光ドラム１５ａをマイナス帯電させる指示を帯電器に出力したのち、感光ドラム１５ａに静電潜像を形成するための光を照射させる指示を露光器１５ｂに出力する。また、印刷制御部１７は、感光ドラム１５ａに形成された静電潜像を現像剤であるマイナス帯電したトナーを用いて可視化させる指示を現像器に出力したのち、用紙にトナー像を転写させる指示を転写器に出力する。また、印刷制御部１７は、用紙に転写したトナー像を定着させる要求を定着器１５ｄに出力する。
【００４４】
次に、本発明に係る実施例１の画像形成装置の動作を、１）トレイ選択ＩＤ変換テーブル及びスタッカー選択ＩＤ変換テーブルを作成するまでの動作と、２）これらの変換テーブルが作成されたのち、実際に印刷処理を実行する動作とに分けて説明する。
【００４５】
１）トレイ選択ＩＤ変換テーブル１１８ｃ及びスタッカー選択ＩＤ変換テーブル１１８ｄを作成するまでの動作について
【００４６】
図８は、本発明に係る実施例１の画像形成装置の動作を示すフローチャートである。このフローチャートは、トレイ選択ＩＤ変換テーブル１１８ｃ及びスタッカー選択ＩＤ１１８ｄ変換テーブルを作成するまでの動作を示している。まず、ユーザがオペレータパネル部１６に設けられている操作部１６２に設けられている操作キーを使用して、図５に示す「トレイ／スタッカー選択ＩＤ入力画面」を表示部１６１に表示させる（ステップＳ１１）。
【００４７】
その後、ユーザが前述の各種操作キーを使用し、例えば図５に示す入力が行われ更に、ＯＫボタンがクリックされると、表示部１６１は、下記に示すトレイ選択ＩＤ入力データ及びスタッカー選択ＩＤ入力データをパネル処理部に出力する（ステップＳ１２）。
【００４８】
パネル処理部１１７に出力されたトレイ選択ＩＤ入力データは、１）エミュレーション名が「ＰＣＬ」で、トレイＮｏが「１」で、かつ、実施装置トレイ選択ＩＤが「２」が記述されたトレイ選択ＩＤ入力データ、２）エミュレーション名が「ＰＣＬ」で、トレイＮｏが「２」で、かつ、実施装置トレイ選択ＩＤが「１」が記述されたトレイ選択ＩＤ入力データ、３）エミュレーション名が「ＰＣＬ」で、トレイＮｏが「３」で、かつ、実施装置トレイ選択ＩＤが「５」が記述されたトレイ選択ＩＤ入力データ、４）エミュレーション名が「ＰＣＬ」で、トレイＮｏが「４」で、かつ、実施装置トレイ選択ＩＤが「８」が記述されたトレイ選択ＩＤ入力データ、５）エミュレーション名が「ＰＣＬ」で、トレイＮｏが「５」で、かつ、実施装置トレイ選択ＩＤが「３」が記述されたトレイ選択ＩＤ入力データ、６）エミュレーション名が「ＰＣＬ」で、トレイＮｏが「６」で、かつ、実施装置トレイ選択ＩＤが「９」が記述されたトレイ選択ＩＤ入力データである。
【００４９】
パネル処理部１１７に出力されたスタッカー選択ＩＤ入力データは、１）エミュレーション名が「ＰＣＬ」で、スタッカーＮｏが「１」で、かつ、実施装置スタッカー選択ＩＤが「３」が記述されたスタッカー選択ＩＤ入力データ、２）エミュレーション名が「ＰＣＬ」で、スタッカーＮｏが「２」で、かつ、実施装置スタッカー選択ＩＤが「５」が記述されたスタッカー選択ＩＤ入力データ、３）エミュレーション名が「ＰＣＬ」で、スタッカーＮｏが「３」で、かつ、実施装置スタッカー選択ＩＤが「２」が記述されたスタッカー選択ＩＤ入力データ、４）エミュレーション名が「ＰＣＬ」で、スタッカーＮｏが「４」で、かつ、実施装置スタッカー選択ＩＤが「１」が記述されたスタッカー選択ＩＤ入力データ、５）エミュレーション名が「ＰＣＬ」で、スタッカーＮｏが「５」で、かつ、実施装置スタッカー選択ＩＤが「４」が記述されたスタッカー選択ＩＤ入力データがある。
【００５０】
パネル処理部１１７は、これらのトレイ選択ＩＤ入力データ及びスタッカー選択ＩＤ入力データが入力されると、これらのトレイ選択ＩＤ入力データ及びスタッカー選択ＩＤ入力データをＲＡＭメモリ１１２のワーク領域１１２ｂに書き込むとともに、トレイ選択ＩＤ変換テーブル１１８ｃ及びスタッカー選択ＩＤ変換テーブル１１８ｄの作成要求をメニュー処理部１１９に出力する（ステップＳ１３）。
【００５１】
メニュー処理部１１９は、前述の要求がパネル処理部１１７から入力されると、ＲＡＭメモリ１１２のワーク領域１１２ｂに未だ読み出されていないトレイ選択ＩＤ入力データが記憶されているか否かを判定する（ステップＳ１４）。
【００５２】
メニュー処理部１１９は、ＲＡＭメモリ１１２のワーク領域１１２ｂにトレイ選択ＩＤ入力データが記憶されていると判断した場合には（ステップＳ１４；ＹＥＳ）、未だ読み出されていないトレイ選択ＩＤ入力データをＲＡＭメモリ１１２のワーク領域１１２ｂから読み出す。
【００５３】
その後、メニュー処理部１１９は、標準装置トレイ選択ＩＤ参照リストＤＢ１１８ａに記憶されている標準装置トレイ選択ＩＤ参照リストのうち、先に読み出したトレイ選択ＩＤ入力データに記述されたエミュレーション名の標準装置トレイ選択ＩＤ参照リストから、読み出したトレイ選択ＩＤ入力データに記述されたトレイＮｏに対応する標準装置トレイ選択ＩＤを読み出す。次に、メニュー処理部１１９は、読み出したトレイ選択ＩＤ入力データに記述されているトレイＮｏ、先に標準装置トレイ選択ＩＤ参照リストから読み出した標準選択ＩＤ、及び、読み出したトレイ選択ＩＤ入力データに記述されている実施装置トレイ選択ＩＤからなるトレイ選択変換テーブルデータを生成し（ステップＳ１５）、このトレイ選択変換テーブルデータを不揮発性メモリ１１８のトレイ選択ＩＤ変換テーブル１１８ｃに登録する（ステップＳ１６）。その後、メニュー処理部１１９は、ステップＳ１４に処理を移行し、上述したものと同様な処理を続行する。
【００５４】
ステップＳ１４において、メニュー処理部１１９は、ＲＡＭメモリ１１２にトレイ選択ＩＤ入力データが記憶されていないと判断した場合には（ステップＳ１４；ＮＯ）、図６（ａ）に示すトレイ選択ＩＤ変換テーブル１１８ｃが生成されたと認識する。
【００５５】
その後、メニュー処理部１１９は、ＲＡＭメモリ１１２にスタッカー選択ＩＤ入力データが記憶されているか否かを判定する（ステップＳ１７）。メニュー処理部１１９は、ＲＡＭメモリ１１２のワーク領域１１２ｂにスタッカー選択ＩＤ入力データが記憶されていると判断した場合には（ステップＳ１７；ＹＥＳ）、標準装置スタッカー選択ＩＤ参照リストＤＢ１１８ｂに記憶されている標準装置スタッカー選択ＩＤ参照リストのうち、読み出したスタッカー選択ＩＤ入力データに記述されたエミュレーション名の標準装置スタッカー選択ＩＤ参照リストから、読み出したスタッカー選択ＩＤ入力データに記述されたスタッカーＮｏに対応する標準装置スタッカー選択ＩＤを読み出す。次に、メニュー処理部１１９は、読み出したスタッカー選択ＩＤ入力データに記述されているスタッカーＮｏ、先に標準装置スタッカー選択ＩＤ参照リストから読み出した標準選択ＩＤ、及び、読み出したスタッカー選択ＩＤ入力データに記述されている実施装置スタッカー選択ＩＤからなるスタッカー選択変換テーブルデータを生成し（ステップＳ１８）、このスタッカー選択変換テーブルデータを不揮発性メモリ１１８のスタッカー選択ＩＤ変換テーブル１１８ｄに登録する（ステップＳ１９）。その後、メニュー処理部１１９は、ステップＳ１７に処理を移行し、上述したものと同様な処理を続行する。
【００５６】
一方、メニュー処理部１１９は、ＲＡＭメモリ１１２のワーク領域１１２ｂにスタッカー選択ＩＤ入力データが記憶されていないと判断した場合には（ステップＳ１７；ＮＯ）、図６（ｂ）に示すスタッカー選択ＩＤ変換テーブル１１８ｄが生成されたと認識し、処理を終了させる。
【００５７】
２）これらの変換テーブルが作成されたのち、実際に印刷処理を実行する動作について
【００５８】
図９は、本発明に係る実施例１の画像形成装置の動作を示すフローチャートである。このフローチャートは、トレイ選択ＩＤ変換テーブル及びスタッカー選択ＩＤ変換テーブルが作成されたのち、実際に印刷処理を終了するまでの動作を示している。ユーザの操作によりユーザ端末２から、実施例１の画像形成装置１に対して印刷ＪＯＢデータが、ケーブル４を介して送信されると（ステップＳ３１）、Ｉ／Ｆ送受信処理部１１１は、受信した印刷ＪＯＢデータをＲＡＭメモリ１１２の中の送受信バッファ１１２ａに記憶させるとともに（ステップＳ３２）、印刷ＪＯＢデータが入力された旨を解析／編集処理部１１３に出力する。
【００５９】
次に、解析／編集処理部１１３は、送受信バッファ１１２ａに記憶されている印刷ＪＯＢデータから標準装置トレイ選択ＩＤ及び標準装置スタッカー選択ＩＤを読出し、この読み出した標準装置トレイ選択ＩＤ及び標準装置スタッカー選択ＩＤを選択ＩＤ補正処理部１２１に出力する（ステップＳ３３）。
【００６０】
その後、選択ＩＤ補正処理部１２１は、標準装置トレイ選択ＩＤ及び標準装置スタッカー選択ＩＤが解析／編集処理部１１３から入力されると、標準装置トレイ選択ＩＤに対応する実施装置トレイ選択ＩＤを、不揮発性メモリ１１８に有するトレイ選択ＩＤ変換テーブル１１８ｃ（図７（ａ）参照）から読出すとともに、標準装置スタッカー選択ＩＤに対応する実施装置スタッカー選択ＩＤを、不揮発性メモリ１１８に有するスタッカー選択ＩＤ変換テーブル１１８ｄ（図７（ｂ）参照）から読出す（ステップＳ３４）。次に、選択ＩＤ補正処理部は、読み出した実施装置トレイ選択ＩＤ及び実施装置スタッカー選択ＩＤを解析／編集処理部１１３に出力する。
【００６１】
解析／編集処理部１１３は、実施装置トレイ選択ＩＤ及び実施装置スタッカー選択ＩＤが選択ＩＤ補正処理部１２１から入力されると、これらの実施装置トレイ選択ＩＤ及び実施装置スタッカー選択ＩＤをエンジンＩ／Ｆ制御部１２２に出力する（ステップＳ３５）。次に、解析／編集処理部１１３は、ＲＡＭメモリ１１２の送受信バッファ１１２ａに記憶されている印刷ＪＯＢデータを読み出し、このデータを解析し、（ステップＳ３６）、印刷ＪＯＢデータに埋め込まれている媒体厚及び印刷解像度をＶＩＤＥＯ処理部１１５に出力する。
【００６２】
その後、解析／編集処理部１１３は、印刷ＪＯＢデータに埋め込まれている編集サイズ、を読み出し、この編集サイズを基にして印刷ＪＯＢデータに記述されている描画データをページ単位に編集した編集ページ情報を生成し、この編集ページ情報をＲＡＭメモリ１１２の編集ページ情報記憶領域１１２ｃに書き込むとともに、展開処理の実行要求を展開処理部１１４に出力する。
【００６３】
ＶＩＤＥＯ処理部１１５は、入力された媒体厚及び印刷解像度に基づき、印刷画質等を規定する印刷制御パラメータを生成し、このパラメータをエンジンＩ／Ｆ制御部１２２に出力する。
【００６４】
展開処理部１１４は、解析／編集処理部１１３から展開処理の実行要求が入力されと、ＲＡＭメモリ１１２の編集ページ情報記憶領域１１２ｃに記憶されている編集ページ情報を読み出し、この編集ページ情報をラスターデータとしての印刷イメージデータに作成し、この印刷イメージデータを圧縮又は伸張処理した印刷イメージデータをエンジンＩ／Ｆ制御部１２２に出力する（ステップＳ３７）。
【００６５】
エンジンＩ／Ｆ制御部１２２は、展開処理部１１４から入力された印刷イメージデータ、並びに、ＶＩＤＥＯ処理部１１５から入力された印刷画質等を規定する印刷制御パラメータを印刷制御部１７に出力するとともに、解析／編集処理部１１３から入力された実施装置トレイ選択ＩＤ及び実施装置スタッカー選択ＩＤをエンジン制御部１２に出力する。
【００６６】
エンジン制御部１２は、実施装置トレイ選択ＩＤ及び実施装置スタッカー選択ＩＤがエンジンＩ／Ｆ制御部１２２から入力されると、モータを駆動し、感光ドラム１５ａ、転写ローラ１５ｃ、定着ローラ１５ｅ、ピックアップローラ１５ｆ、レジストローラ１５ｇ、アイドルローラ１５ｈ、ドライブローラ１５ｉ、搬送ローラ１５ｊ、及び排出ローラ１５ｋを適宜回転させる。
【００６７】
これにより、エンジン制御部１２に指定されたピックアップピックローラ１５ｆは、実施装置トレイ選択ＩＤに指定されたトレイから用紙を取り出し、レジストローラ１５ｇは、取り出された用紙を感光ドラム１５ａに搬送する（ステップＳ３８）。
【００６８】
印刷処理部１７は、エンジンＩ／Ｆ制御部１２２から入力された印刷イメージデータ、並びに、媒体厚及び印刷制御パラメータに基づき、帯電器でもって感光ドラム１５ａをマイナス帯電させ、露光器１５ｂでもって感光ドラム１５ａに静電潜像を形成させ、次に、現像器でもって感光ドラム１５ａに形成された静電潜像を現像剤であるマイナス帯電したトナーを用いて可視化させたのち、転写器でもって用紙にトナー像を転写させる。その後、印刷制御部１７は、定着器１５ｄでもって用紙に転写したトナー像を定着させる（テップＳ３９）。
【００６９】
その後、用紙走行部１５は、印刷イメージデータが印刷された用紙を排紙部１４に搬送する。
【００７０】
排紙部１４は、印刷された用紙を、実施例スタッカー選択ＩＤにより割り当てられたスタッカーに排紙し（ステップＳ４０）、処理を終了する。
【００７１】
実施例１によれば、選択ＩＤ補正処理部１２１により、ユーザ端末２から受信した印刷ＪＯＢデータに記述されている標準装置トレイ選択ＩＤが、トレイ選択ＩＤ変換テーブル１１８ｃに記述されている標準装置トレイ選択ＩＤに対応する実施装置トレイ選択ＩＤに補正されるので、印刷ＪＯＢデータに記述されている給紙位置指定情報が異なる画像形成装置を追加設置した場合において、ユーザが望む給紙位置のトレイから用紙を給紙することができる。
【００７２】
また、実施例１によれば、選択ＩＤ補正処理部１２１により、標準装置スタッカー選択ＩＤが、スタッカー選択ＩＤ変換テーブル１１８ｄに記述されている標準装置スタッカー選択ＩＤに対応する実施装置スタッカー選択ＩＤに補正されるので、印刷ＪＯＢデータに記述されている排紙位置指定情報が異なる画像形成装置を追加設置した場合において、ユーザが望む排紙位置のスタッカーに用紙を排紙することができる。
【００７３】
また、実施例１によれば、メニュー処理部１１９が、不揮発性メモリ１１８の標準装置トレイ選択ＩＤ参照リストＤＢ１１８ａに記述されている標準装置トレイ選択ＩＤ、及び、表示部１６１に表示されたトレイ／スタッカー選択ＩＤ入力画面に入力された自装置のトレイ選択ＩＤを用いて、トレイ選択ＩＤ変換テーブル１１８ｃを生成するので、ユーザが、トレイ選択ＩＤ変換テーブル１１８ｃを簡単に生成することができる。
【００７４】
また、実施例１によれば、メニュー処理部１１９が、不揮発性メモリ１１８の標準装置スタッカー選択ＩＤ参照リストＤＢ１１８ｂに記述されている標準装置スタッカー選択ＩＤ、及び、表示部１６１に表示されたトレイ／スタッカー選択ＩＤ入力画面に入力された自装置のスタッカー選択ＩＤを用いて、スタッカー選択ＩＤ変換テーブル１１８ｄを生成するので、ユーザが、スタッカー選択ＩＤ変換テーブル１１８ｄを簡単に生成することができる。
【実施例２】
【００７５】
図１０は、本発明に係る実施例２の画像形成装置に有するコントローラ部の構成を示すブロック図である。実施例２の画像形成装置１は、実施例１の画像形成装置と同様、図１に示すように、同一なプリンタ言語を解釈する複数の標準画像形成装置３とともに、イーサネット等のネットワークケーブル、セントロニクス、ＵＳＢ、ＲＳ２３２Ｃ等のケーブル４により上位装置としてのユーザ端末２と接続されている。
【００７６】
実施例２の画像形成装置１は、図２に示すように、コントローラ部１１と、エンジン制御部１２と、給紙部１３と、排紙部１４と、用紙走行部１５と、オペレータパネル部１６と、印刷制御部１７とを備えている。ここで、エンジン制御部１２、給紙部１３、排紙部１４、用紙走行部１５、オペレータパネル部１６、及び印刷制御部１７は、実施例１のものと同一な構成及び機能を有している。
【００７７】
図１０に示すように、コントローラ部１１は、Ｉ／Ｆ送受信処理部１１１、ＲＡＭメモリ１１２、解析／編集処理部１１３、展開処理部１１４、ＶＩＤＥＯ処理部１１５、ステータス制御部１１６、パネル処理部１１７、不揮発性メモリ１１８、メニュー処理部１１９、初期化処理部１２０、及び、エンジンＩ／Ｆ制御部１２２を備える。ここで、Ｉ／Ｆ送受信処理部１１１、展開処理部１１４、ＶＩＤＥＯ処理部１１５、ステータス制御部１１６、初期化処理部１２０、及びエンジンＩ／Ｆ制御部１２２は、実施例１のこれらのものと同様な構成を有するので、これらの構成部分についての説明を省略する。
【００７８】
ＲＡＭメモリ１１２は、実施例１のＲＡＭメモリ１１２と同様、送受信バッファ１１２ａ、ワーク領域１１２ｂ、及び編集ページ情報記憶領域１１２ｃを有する。このＲＡＭメモリ１１２は、選択ＩＤ確認モード情報をワーク領域１１２ｂに記憶する。この選択ＩＤ確認モード情報は、後述する選択ＩＤ確認ページを印刷する状態のモードになっていることを示す情報である。
【００７９】
解析／編集処理部１１３は、実施例１の解析／編集処理部１１３が行う処理を実行し、更に、ＲＡＭメモリ１１２のワーク領域１１２ｂに選択確認モード情報が記憶されていると、不揮発性メモリ１１８の選択ＩＤ確認ページデータ記憶部１１８ｅ（後述する）に記憶されている、図１１に示す選択ＩＤ確認ページ印刷するための選択ＩＤ確認ページデータを読み出す。そして、解析／編集処理部１１３は、この読み出した選択ＩＤ確認ページデータを、編集ページ情報の一部として、ＲＡＭメモリ１１２の編集ページ情報記憶領域１１２ｃに記憶されている編集ページ情報の前に記憶させる。
【００８０】
ここで、選択ＩＤ確認ページは、実施例１の画像形成装置１においてトレイ選択ＩＤ変換テーブル１１８ｃ及びスタッカー選択ＩＤ変換テーブル１１８ｄを形成する際に、図５に示したトレイ／スタッカー選択ＩＤ入力画面に表示されている実施装置トレイ選択ＩＤ入力表示欄及び実施装置スタッカー選択ＩＤ入力表示欄に入力する実施装置トレイ選択ＩＤ及び実施装置スタッカー選択ＩＤをユーザが入力するときに使用される。
【００８１】
選択ＩＤ確認ページは、図１１に示すように、「印刷ＪＯＢデータ解析結果」を表示する表示欄と、「この画像形成装置に設けられている給紙／排紙装置の属性」を表示する表示欄とを有する。「印刷ＪＯＢデータ解析結果」を表示する表示欄には、（１）ＰＤＬエミュレーション種別：表示欄、（２）ＰＤＬ  トレイ選択ＩＤ表示欄、及び（３）ＰＤＬ  スタッカー選択ＩＤ欄を有している。「この画像形成装置に設けられている給紙／排紙装置の属性」を表示する表示欄は、給紙装置に設けられているトレイ名を表示する表示欄と、トレイ名ごとに各エミュレーションのトレイ選択ＩＤを表示する表示欄を有している。更に、排紙装置に設けられているスタッカー名を表示する表示欄と、スタッカー名ごとに各エミュレーションのスタッカー選択ＩＤを表示する表示欄を有している。
【００８２】
パネル処理部１１７は、図１２に示す選択ＩＤ確認ページ出力用画面を表示させる表示データを不揮発性メモリ１１８の表示データ記憶部１１８ｉからメニュー処理部１１９を介して読出し、この表示データをオペレータパネル部１６の表示部１６１に出力し、表示部１６１に、選択ＩＤ確認ページ出力用画面を表示させる。
【００８３】
図１２に示すように、選択ＩＤ確認ページ出力用画面は、選択ＩＤ確認ページを印刷する場合にクリックされるチェックボックスと、取りやめる場合にクリックされるチェックボックスと、ＯＫボタンとが表示されている。
【００８４】
また、パネル処理部１１７は、選択ＩＤ確認ページ出力用画面における選択ＩＤ確認ページを印刷する箇所にあるチェックボックスがクリックされ、かつ、ＯＫボタンがクリックされると、その旨の通知をメニュー処理部１１９に出力する。パネル処理部１１７は、選択ＩＤ確認ページ出力用画面における取りやめる箇所にあるチェックボックスがクリックされ、かつ、ＯＫボタンがクリックされると、その旨の通知をメニュー処理部１１９に出力する。
【００８５】
図１０に示す不揮発性メモリ１１８は、標準装置トレイ選択ＩＤ参照リストＤＢ１１８ａと、標準装置スタッカー選択ＩＤ参照リストＤＢ１１８ｂと、選択ＩＤ確認ページデータ記憶部１１８ｅと、と表示データ記憶部１１８ｉとを備えている。ここで、標準装置トレイ選択ＩＤ参照リストＤＢ１１８ａ、及び、標準装置スタッカー選択ＩＤ参照リストＤＢ１１８ｂは、実施例１のものと同一である。
【００８６】
選択ＩＤ確認ページデータ記憶部１１８ｅは、ユーザ端末２から送信されてきた印刷ＪＯＢデータについての印刷を実行した際に、最初に印刷される上述した図１１に示す選択ＩＤ確認ページを生成するるための選択ＩＤ変換ページデータを記憶する。
【００８７】
表示データ記憶部１１８ｉは、上述した図１２に示す選択ＩＤ確認ページ出力用画面を表示させる表示データを記憶する。
【００８８】
メニュー処理部１１９は、選択ＩＤ確認ページ出力用画面における選択ＩＤ確認ページを印刷する箇所にあるチェックボックスがクリックされた旨の通知を、パネル処理部１１７から入力された場合には、前述の選択ＩＤ確認モード情報をＲＡＭ１１２のワーク領域１１２ｂに書き込む。
【００８９】
次に、実施例２の画像形成装置の動作を説明する。
【００９０】
図１３は、実施例２の画像形成装置の動作を示すフローチャートである。ユーザがオペレータパネル部１６の操作部１６２を使用して、図１２に示す選択ＩＤ確認出力用画面を表示部１６１に表示させる（ステップＳ５１）。次に、ユーザが、選択ＩＤ確認ページ出力用画面中の「選択ＩＤ確認ページを印刷する」の箇所にあるチェックボックスにカーソルを置いてマウスをクリックし、かつ、ＯＫボタンにカーソルをおいてマウスをクリックすると、オペレータパネル部１６は、「選択ＩＤ確認ページを印刷する」の箇所にあるチェックボックスがチェックされたことをパネル処理部１１７を介してメニュー処理部１１９に出力する。
【００９１】
メニュー処理部１１９は、「選択ＩＤ確認ページを印刷する」の箇所にあるチェックボックスがチェックされたことをパネル処理部１１７を介してメニュー処理部１１９から入力されると、選択ＩＤ確認モード情報をＲＡＭメモリ１１２のワーク領域１１２ｂに書き込む（ステップＳ５２）。
【００９２】
その後、Ｉ／Ｆ送受信処理部１１１は、ユーザ端末２から印刷ＪＯＢデータがケーブル４を介して受信すると（ステップＳ５３）、受信した印刷ＪＯＢデータをＲＡＭメモリ１１２の中の送受信バッファ１１２ａに記憶させるとともに（ステップＳ５４）、印刷ＪＯＢデータが入力された旨の通知を解析／編集処理部１１３に出力する。
【００９３】
次に、解析／編集処理部１１３は、送受信バッファ１１２ａに記憶されている印刷ＪＯＢデータから標準装置トレイ選択ＩＤ及び標準装置スタッカー選択ＩＤを読出し、この読み出した標準装置トレイ選択ＩＤ及び標準装置スタッカー選択ＩＤをエンジンＩ／Ｆ制御部１２２に出力する（ステップＳ５５）。
【００９４】
その後、解析／編集処理部１１３は、ＲＡＭメモリ１１２の送受信バッファ１１２ａに記憶されている印刷ＪＯＢデータを読み出し、このデータを解析し、印刷ＪＯＢデータに埋め込まれている媒体厚及び印刷解像度をＶＩＤＥＯ処理部１１５に出力する。
【００９５】
次に、解析／編集処理部１１３は、印刷ＪＯＢデータに埋め込まれている編集サイズ、を読み出し、この編集サイズを基にして印刷ＪＯＢデータに記述されている描画データをページ単位に編集した編集ページ情報を生成し（ステップＳ５６）、この編集ページ情報をＲＡＭメモリ１１２の編集ページ情報記憶領域１１２ｃに書き込む。
【００９６】
その後、解析／編集処理部１１３は、ＲＡＭメモリ１１２のワーク領域１１２ｂに選択ＩＤ確認モード情報が記憶されていることを確認すると（ステップＳ５７）、不揮発性メモリ１１８の選択ＩＤ確認ページデータ記憶部１１８ｅに記憶されている、選択ＩＤ確認ページデータを読み出す。次に、解析／編集処理部１１３は、この読み出した選択ＩＤ確認ページデータを、編集ページ情報の一部として、ＲＡＭメモリ１１２の編集ページ情報記憶領域１１２ｃに記憶されている編集ページ情報の前に添付したのち（ステップＳ５８）、展開処理の実行要求を展開処理部１１４に出力する。  
【００９７】
ＶＩＤＥＯ処理部１１５は、入力された媒体厚及び印刷解像度に基づき、印刷画質等を規定する印刷制御パラメータを生成し、このパラメータをエンジンＩ／Ｆ制御部１２２に出力する。
【００９８】
展開処理部１１４は、解析／編集処理部１１３から展開処理の実行要求が入力されと、ＲＡＭメモリ１１２の編集ページ情報記憶領域１１２ｃに記憶されている編集ページ情報を読み出し、この編集ページ情報をラスターデータとしての印刷イメージデータに作成し、この印刷イメージデータを圧縮又は伸張処理した印刷イメージデータをエンジンＩ／Ｆ制御部１２２に出力する。
【００９９】
エンジンＩ／Ｆ制御部１２２は、展開処理部１１４から入力された印刷イメージデータ、及び、ＶＩＤＥＯ処理部１１５から入力された印刷画質等を規定する印刷制御パラメータを印刷制御部１７に出力するとともに、解析／編集処理部１１３から入力された実施装置トレイ選択ＩＤ及び実施装置スタッカー選択ＩＤをエンジン制御部１２に出力する。
【０１００】
エンジン制御部１２は、実施装置トレイ選択ＩＤ及び実施装置スタッカー選択ＩＤがエンジンＩ／Ｆ制御部１２２から入力されると、モータを駆動し、感光ドラム１５ａ、転写ローラ１５ｃ、定着ローラ１５ｅ、ピックアップローラ１５ｆ、レジストローラ１５ｇ、アイドルローラ１５ｈ、ドライブローラ１５ｉ、搬送ローラ１５ｊ、及び排出ローラ１５ｋを適宜回転させる。
【０１０１】
その後、印刷処理部１７は、エンジンＩ／Ｆ制御部１２２から入力された印刷イメージデータ、並びに、媒体厚及び印刷制御パラメータに基づき、帯電器でもって感光ドラム１５ａをマイナス帯電させ、露光器１５ｂでもって感光ドラム１５ａに静電潜像を形成させ、次に、現像器でもって感光ドラム１５ａに形成された静電潜像を現像剤であるマイナス帯電したトナーを用いて可視化させたのち、転写器でもって用紙にトナー像を転写させる。その後、印刷制御部１７は、定着器１５ｄでもって用紙に転写したトナー像を定着させる（テップＳ５９）。
【０１０２】
その後、用紙走行部１５は、印刷イメージデータが印刷された用紙を排紙部１４に搬送する。
【０１０３】
排紙部１４は、印刷された用紙を、先に入力された実施例スタッカー選択ＩＤにより割り当てられたスタッカーに排紙し（ステップＳ６０）、処理を終了する。
【０１０４】
実施例２によれば、印刷制御部１７により、ユーザ端末２から印刷ＪＯＢデータを受信したのち、不揮発性メモリ１１８の選択ＩＤ確認ページデータ記憶部１１８ｅに記憶されている、自装置のトレイ選択ＩＤ及びスタッカー選択ＩＤをユーザに確認させるための選択ＩＤ確認ページデータが、印刷ＪＯＢデータの画像データとともに印刷されるので、表示部１６１に表示するトレイ選択ＩＤ入力画面に自装置のトレイ選択ＩＤを入力する場合、及び、スタッカー選択ＩＤ入力画面に自装置のスタッカー選択ＩＤを入力する場合に参考とすることができる。
【実施例３】
【０１０５】
図１４は、本発明に係る実施例３の画像形成装置に有するコントローラ部の構成を示すブロック図である。実施例３の画像形成装置１は、実施例１の画像形成装置１と同様、図１に示すように、イーサネット等のネットワークケーブル、セントロニクス、ＵＳＢ、ＲＳ２３２Ｃ等のケーブル４により上位装置としてのユーザ端末２と接続されている。
【０１０６】
実施例３の画像形成装置は、実施例１の画像形成装置と同様、コントローラ部１１と、エンジン制御部１２と、給紙部１３と、排紙部１４と、用紙走行部１５と、オペレータパネル部１６と、印刷制御部１７とを備えて構成されている。ここで、エンジン制御部１２、給紙部１３、排紙部１４、用紙走行部１５、オペレータパネル部１６、及び印刷制御部１７は、実施例１のものと同一な構成を有している。
【０１０７】
図１４に示すように、コントローラ部１１は、Ｉ／Ｆ送受信処理部１１１、ＲＡＭメモリ１１２、解析／編集処理部１１３、展開処理部１１４、ＶＩＤＥＯ処理部１１５、ステータス制御部１１６、パネル処理部１１７、不揮発性メモリ１１８、メニュー処理部１１９、初期化処理部１２０、選択ＩＤ補正処理部１２１、及びエンジンＩ／Ｆ制御部１２２を備える。ここで、Ｉ／Ｆ送受信処理部１１１、ＲＡＭメモリ１１２、展開処理部１１４、ＶＩＤＥＯ処理部１１５、ステータス制御部１１６、初期化処理部１２０、選択ＩＤ補正処理部１２１、及び、エンジンＩ／Ｆ制御部１２２は、実施例１のものと同一な機能を有する。
【０１０８】
パネル処理部１１７は、不揮発性メモリ１１８の表示データ記憶部１１８ｉに記憶されている図１５に示す装置選択メニュー画面を表示させる表示データを、メニュー処理部１１９を介して読出し、装置選択メニュー画面をオペレータパネル部１６の表示部１６１に表示させる。
【０１０９】
ここで、装置選択メニュー画面には、図１５に示すように、実施例３の画像形成装置１の装置タイプを特定するために、Ａ−Ｔｙｐｅの表示欄、Ｂ−Ｔｙｐｅの表示欄、及びＣ−Ｔｙｐｅの表示欄が表示され、各々表示欄にはチェックボックスが表示されている。また、この、装置選択メニュー画面には、ＯＫボタンが表示されている。
【０１１０】
また、パネル処理部１１７は、ユーザにより装置選択メニュー画面に表示されているＡ−Ｔｙｐｅの表示欄、Ｂ−Ｔｙｐｅの表示欄、及びＣ−Ｔｙｐｅの表示欄にあるチェックボックスのいずれかがクリックされ、かつ、ＯＫボタンがクリックされると、チェックボックスがクリックされた図１６に示すＴｙｐｅ用トレイ名設定入力画面を表示させる表示データを、メニュー処理部１１９を介して不揮発性メモリ１１８の表示データ記憶部１１８ｉから読出し、表示部１６１に表示させる。
【０１１１】
図１６に示すように、Ａ−Ｔｙｐｅ用トレイ名設定入力画面は、Ａ−Ｔｙｐｅの実施例３の画像形成装置１のトレイ名と対応させる標準画像形成装置３のトレイ名を入力するための表示画面であって、実施装置トレイ名表示欄には、実施装置トレイ名として「Ｍｕｌｔｉ  Ｆｅｅｄｅｒ」、「Ｉｎｐｕｔ  Ｔｒａｙ１」、「Ｉｎｐｕｔ  Ｔｒａｙ２」、「Ｉｎｐｕｔ  Ｔｒａｙ３」、「Ｉｎｐｕｔ  Ｔｒａｙ４」、及び、「Ｉｎｐｕｔ  Ｔｒａｙ５」が表示されている。また、標準装置トレイ名表示欄には、標準装置トレイ名として「Ｔｒａｙ１」、「Ｔｒａｙ２」、「Ｔｒａｙ３」、「Ｍａｎｕａｌ  Ｆｅｅｄｅｒ」、「Ｆｒｏｎｔ  Ｔｒａｙ」、及び「Ｍｕｌｔｉ  Ｐｕｒｐｏｓｅ  Ｆｅｅｄｅｒ」が表示され、それぞれ箇所にチェックボックスが表示されている。また、ＯＫボタンが表示されている。
【０１１２】
また、パネル処理部１１７は、Ａ−Ｔｙｐｅ用、Ｂ−Ｔｙｐｅ用、Ｃ−Ｔｙｐｅ用のいずれかのトレイ名設定入力画面装置選択メニュー画面に表示されているＯＫボタンがユーザによりクリックされると、クイックされたＯＫボタンの箇所のタイプ用スタッカー名設定入力画面を表示させる表示データを、メニュー処理部１１９を介して不揮発性メモリ１１８から読出し、この読み出した表示データにより示されたタイプ用のスタッカー名設定入力画面を表示部１６１に表示させる。
【０１１３】
例えば図１７に示すように、Ａ−Ｔｙｐｅ用スタッカー名設定入力画面は、Ａ−Ｔｙｐｅの実施例３の画像形成装置１のスタッカー名と対応させる標準画像形成装置３のスタッカー名を入力するための表示画面であって、実施装置スタッカー名表示欄として、実施装置スタッカー名として「Ｓｔａｃｋｅｒ０」、「Ｓｔａｃｋｅｒ１」、「Ｓｔａｃｋｅｒ２」、「Ｓｔａｃｋｅｒ３」、「Ｓｔａｃｋｅｒ４」が記述されている。また、標準スタッカー名表示欄には、標準スタッカー名として「Ｏｕｔｐｕｔ１」、「Ｏｕｔｐｕｔ２」、「Ｏｕｔｐｕｔ３」、及び、「Ｏｕｔｐｕｔ４」が表示され、それぞれ箇所にチェックボックスが表示されている。また、ＯＫボタンが表示されている。
【０１１４】
また、パネル処理部１１７は、表示部１６１から、実施例装置トレイ名と標準装置トレイ名の組からなるトレイ名入力データが表示部１６１から入力されると、これらのトレイ名入力データをＲＡＭメモリ１１２のワーク領域１０２ｂに記憶させる。
【０１１５】
また、パネル処理部１１７は、表示部１６１から、実施例装置スタッカー名と標準装置スタッカー名の組からなるスタッカー名入力データが表示部１６１から入力されると、これらのスタッカー名入力データをＲＡＭメモリ１１２のワーク領域１０２ｂに記憶させる。
【０１１６】
不揮発性メモリ１１８は、標準装置トレイ選択ＩＤ参照リスト１１８ａ、標準装置スタッカー選択ＩＤ参照リスト１１８ｂ、トレイ選択ＩＤ変換テーブル１１８ｃ、スタッカー選択ＩＤ変換テーブル１１８ｄ、実施装置トレイ選択ＩＤ参照リスト１１８ｆ、実施装置スタッカー選択参照ＩＤリスト１１８ｇ、及び、表示データ記憶部１１８ｉを有している。
【０１１７】
標準装置トレイ選択ＩＤ参照リスト１１８ａ及び標準装置スタッカー選択ＩＤ参照リスト１１８ｂ、並びに、トレイ選択ＩＤ変換テーブル１１８ｃ及びスタッカー選択ＩＤ変換テーブル１１８ｄは、実施例１のものと同一である。
【０１１８】
図１８（ａ）に示すように、実施装置トレイ選択ＩＤ参照リスト１１８ｆは、この実施例３の画像形成装置１の実施装置トレイ名と、この実施装置トレイ名のトレイに割り当てられた実施装置トレイ選択ＩＤの組でなるデータからなるリストである。
【０１１９】
図１８（ｂ）に示すように、実施装置スタッカー選択参照ＩＤリスト１１８ｇは、この実施例３の画像形成装置１の実施装置スタッカー名と、この実施装置スタッカー名のスタッカーに割り当てられた実施装置スタッカー選択ＩＤとの組でなるデータからなるリストである。
【０１２０】
表示データ記憶部１１８ｉは、実施例１のものと同じ表示データを記憶するとともに、上述した図１５に示す装置選択メニュー画面を表示させる表示データ、図１６に示すＡ、Ｂ、ＣＴｙｐｅ用トレイ名設定入力画面を表示させる表示データ、図１７に示すＡ、Ｂ、ＣＴｙｐｅ用スタッカー名設定入力画面を表示させる表示データを記憶する。
【０１２１】
メニュー処理部１１９は、ＲＡＭメモリ１１２のワーク領域１１２ｂから読み出したトレイ名入力データに記述されている実施装置トレイ名に対応付けられた実施装置トレイ選択ＩＤを、実施装置トレイ選択ＩＤ参照リスト１１８ｆから読出す。また、メニュー処理部１１９は、先に読み出したトレイ名入力データに記述されている標準装置トレイ名に対応付けられた標準装置トレイ選択ＩＤ及びトレイＮｏを標準装置トレイ選択ＩＤリスト１１８ａから読出す。
【０１２２】
そして、メニュー処理部１１９は、読み出した標準装置トレイ選択ＩＤ及びトレイＮｏ、並びに、実施装置トレイ選択ＩＤから、トレイＮｏ、標準装置トレイ選択ＩＤ及び実施装置トレイ選択ＩＤの順に記述されたトレイ選択ＩＤ変換データを生成し、トレイ選択ＩＤ変換テーブル１１８ｃに登録する。
【０１２３】
また、メニュー処理部１１９は、ＲＡＭメモリ１１２のワーク領域１１２ｂから読み出したスタッカー名入力データに記述されている実施装置スタッカー名に対応付けられた実施装置スタッカー選択ＩＤを、実施装置スタッカー選択ＩＤ参照リスト１１８ｇから読出す。また、メニュー処理部１１９は、先に読み出したスタッカー名入力データに記述されている標準装置スタッカー名に対応付けられた標準装置スタッカー選択ＩＤ及びスタッカーＮｏを標準装置スタッカー選択ＩＤリスト１１８ｂから読出す。
【０１２４】
そして、メニュー処理部１１９は、読み出した標準装置スタッカー選択ＩＤ及びスタッカーＮｏ、並びに、実施装置スタッカー選択ＩＤから、スタッカーＮｏ、標準装置スタッカー選択ＩＤ及び実施装置スタッカー選択ＩＤの順に記述されたスタッカー選択ＩＤ変換データを生成し、未だ完全に生成されていないスタッカー選択ＩＤ変換テーブル１１８ｄに登録する。
【０１２５】
次に、トレイ選択ＩＤ変換テーブル及びスタッカー選択ＩＤ変換テーブルを作成するまでの、本発明に係る実施例３の画像形成装置の動作を説明する。なお、これらの変換テーブルが作成されたのち、実際に印刷処理を実行する動作については、実施例１の画像形成装置が実行する動作と同様なので、その説明を省略する。
【０１２６】
図１９は、トレイ選択ＩＤ変換テーブル及びスタッカー選択ＩＤ変換テーブルを作成するまでの、本発明に係る実施例３の画像形成装置１の動作を示すフローチャートである。まず、ユーザがオペレータパネル部１６に設けられている操作部１６２に設けられている操作キーを使用して、図１５に示す装置選択メニュー画面を表示部１６１に表示させる（ステップＳ７１）。その後、ユーザにより、例えば、装置選択メニュー画面に表示されている「Ａ−Ｔｙｐｅ」の箇所に表示されているチェックボックスがクリックされたのち、ＯＫボタンが更にクリックされると、オペレータパネル部１６は、「Ａ−Ｔｙｐｅ」の箇所のチェックボックスがクリックされた旨をパネル処理部１１７に出力する。
【０１２７】
パネル処理部１１７は、オペレータパネル部１６から入力された「Ａ−Ｔｙｐｅ」の箇所のチェックボックスがクリックされた旨の通知をメニュー処理部１１９に出力する。
【０１２８】
メニュー処理部１１９は、前述の通知がパネル処理部１１７から入力されると、「Ａ−Ｔｙｐｅ用トレイ名設定入力画面」を表示部１６１に表示させる表示データを不揮発性メモリ１１８の表示データ記憶部１１８ｉから読出し、この表示データをパネル処理部１１７に出力する。
【０１２９】
パネル処理部１１７は、メニュー処理部１１９から上記表示データが入力されると、図１６に示す「Ａ−Ｔｙｐｅ用トレイ名設定入力画面」を表示部１６１に表示させる。
【０１３０】
その後、ユーザが操作部１６２に設けられている各種操作キーを使用し、例えば図１８に示す入力が行われ更に、ＯＫボタンがクリックされると、下記に示すトレイ名入力データがパネル処理部に出力する（ステップＳ７３）。
【０１３１】
パネル処理部１１７に出力されたトレイ名入力データは、１）実施装置トレイ名が「Ｍｕｌｔｉ  Ｆｅｅｄｅｒ」で、かつ、標準装置トレイ名が「Ｍｕｌｔｉ  Ｐｕｒｐｏｓｅ  Ｆｅｅｄｅｒ」の組でなるトレイ名入力データ、２）実施装置トレイ名が「Ｉｎｐｕｔ  Ｔｒａｙ１」で、かつ、標準装置トレイ名が「Ｍａｎｕａｌ  Ｆｅｅｄｅｒ」の組でなるトレイ名入力データ、３）実施装置トレイ名が「Ｉｎｐｕｔ  Ｔｒａｙ２」で、かつ、標準装置トレイ名が「Ｆｒｏｎｔ  Ｔｒａｙ」の組でなるトレイ名入力データ、４）実施装置トレイ名が「Ｉｎｐｕｔ  Ｔｒａｙ３」で、かつ、標準装置トレイ名が「Ｔｒａｙ１」の組でなるトレイ名入力データ、５）実施装置トレイ名が「Ｉｎｐｕｔ  Ｔｒａｙ４」で、かつ、標準装置トレイ名が「Ｔｒａｙ２」の組でなるトレイ名入力データ、６）実施装置トレイ名が「Ｉｎｐｕｔ  Ｔｒａｙ５」で、かつ、標準装置トレイ名が「Ｔｒａｙ３」の組でなるトレイ名入力データである。
【０１３２】
パネル処理部１１７は、これらのトレイ名入力データをＲＡＭメモリ１１２のワーク領域１１２ｂに記憶させるとともに（ステップＳ７４）、Ａ−Ｔｙｐｅ用トレイ名設定入力画面に表示されているＯＫボタンがクリックされた旨の通知をメニュー処理部１１９に出力する。
【０１３３】
メニュー処理部１１９は、図１７に示すＡ−Ｔｙｐｅ用スタッカー名設定入力画面を表示部１６１に表示させる表示データを不揮発性メモリ１１８の表示データ記憶部１１８ｉから読出し、この表示データをパネル処理部１１７に出力する。
【０１３４】
パネル処理部１１７は、Ａ−Ｔｙｐｅ用スタッカー名設定入力画面を表示部１６１に表示させる（ステップＳ７５）。
【０１３５】
その後、ユーザが前述の各種操作キーを使用し、例えば図１７に示す入力が行われ、更に、ＯＫボタンがクリックされると、下記に示すスタッカー名入力データをパネル処理部に出力する（ステップＳ７６）。
【０１３６】
パネル処理部１１７に出力されたスタッカー名入力データは、１）実施装置スタッカー名が「Ｓｔａｃｋｅｒ０」で、かつ、標準装置スタッカー名が「Ｏｕｔｐｕｔ１」の組でなるスタッカー名入力データ、２）実施装置スタッカー名が「Ｓｔａｃｋｅｒ１」で、かつ、標準装置スタッカー名が「Ｏｕｔｐｕｔ２」の組でなるスタッカー名入力データ、３）実施装置スタッカー名が「Ｓｔａｃｋｅｒ２」で、かつ、標準装置スタッカー名が「Ｏｕｔｐｕｔ３」の組でなるスタッカー名入力データ、４）実施装置スタッカー名が「Ｓｔａｃｋｅｒ３」で、かつ、標準装置スタッカー名が「Ｏｕｔｐｕｔ４」の組でなるスタッカー名入力データ、５）実施装置スタッカー名が「Ｓｔａｃｋｅｒ４」で、かつ、標準装置スタッカー名が「Ｏｕｔｐｕｔ５」の組でなるスタッカー名入力データである。
【０１３７】
パネル処理部１１７は、これらのスタッカー名入力データをＲＡＭメモリ１１２のワーク領域１１２ｂに記憶させるとともに（ステップＳ７７）、Ａ−Ｔｙｐｅ用スタッカー名設定入力画面に表示されているＯＫボタンがクリックされた旨の通知をメニュー処理部１１９に出力する。
【０１３８】
その後、メニュー処理部１１９は、ＲＡＭメモリ１１２のワーク領域１１２ｂに未だ読み出されていないトレイ名入力データが記憶されているか否かを判定する（ステップＳ７８）。メニュー処理部１１９は、ＲＡＭメモリ１１２のワーク領域１１２ｂに未だ読み出されていないトレイ名入力データが記憶されていないと判断した場合には（ステップＳ７８；ＮＯ）、トレイ選択ＩＤ変換テーブル１１８ｃが完成したものと認識し、ステップＳ８２に処理を移行させる。
【０１３９】
一方、メニュー処理部１１９は、ＲＡＭメモリ１１２に未だ読み出されていないトレイ名入力データが記憶されていると判断した場合には（ステップＳ７８；ＹＥＳ）、未だ読み出されていないトレイ名入力データをＲＡＭ１１９から読み出す。次に、メニュー処理部１１９は、実施装置トレイ選択ＩＤ参照リスト１１８ｆから、読み出したトレイ名入力データに記述されている実施装置のトレイ名に対応付けられた実施装置トレイ選択ＩＤを読出すとともに（ステップＳ７９）、標準装置トレイ選択ＩＤリスト１１８ａから、読み出したトレイ名入力データに記述されている標準装置トレイ名に対応付けられた標準装置トレイ選択ＩＤ及びトレイＮｏを読出す（ステップＳ８０）。
【０１４０】
メニュー処理部１１９は、実施装置トレイ選択ＩＤ、標準装置トレイ選択ＩＤ、及びトレイＮｏを読み出すと、トレイＮｏ、標準装置トレイ選択ＩＤ、実施装置トレイ選択ＩＤの順に記述したトレイ選択ＩＤ変換データを生成し、未だ完全に生成されていないトレイ選択ＩＤ変換テーブル１１８ｃに登録する（ステップＳ８１）。ステップＳ７８に処理を移行し、上述したと同様な処理を続行する。
【０１４１】
ステップＳ７８において、メニュー処理部１１９は、ＲＡＭメモリ１１２にトレイ名入力データが記憶されていないと判断した場合には（ステップＳ７８；ＮＯ）、ＲＡＭメモリ１１２のワーク領域１１２ｂに未だ読み出されていないスタッカー名入力データが記憶されているか否かを判定する（ステップＳ８２）。メニュー処理部１１９は、ＲＡＭメモリ１１２のワーク領域１１２ｂにスタッカー名入力データが記憶されていないと判断した場合には（ステップＳ８２；ＮＯ）、スタッカー選択ＩＤ変換テーブル１１８ｄが完成したと認識し、処理を終了させる。
【０１４２】
一方、メニュー処理部１１９は、ＲＡＭメモリ１１２のワーク領域１１２ｂに未だ読み出されていないスタッカー名入力データが記憶されていると判断した場合には（ステップＳ８２；ＹＥＳ）、未だ読み出されていないスタッカー名入力データをＲＡＭ１１９から読み出す。次に、メニュー処理部１１９は、実施例スタッカー選択ＩＤ参照リスト１１８ｇから、読み出したスタッカー名入力データに記述されているＡ−Ｔｙｐｅスタッカー名に対応付けられた実施装置スタッカー選択ＩＤを読出すとともに（ステップＳ８３）、標準装置スタッカー選択ＩＤリストＤＢ１１８ｂから、読み出したスタッカー名入力データに記述されている標準装置スタッカー名及び標準装置スタッカー選択ＩＤを読出す（ステップＳ８４）。
【０１４３】
メニュー処理部１１９は、実施装置スタッカー選択ＩＤ、標準装置スタッカー選択ＩＤ、及び、スタッカーＮｏを読み出すと、スタッカーＮｏ、標準装置スタッカー選択ＩＤ、実施装置スタッカー選択ＩＤの順に記述されたスタッカー選択ＩＤ変換データを生成し、このデータを未だ完全に生成されていないスタッカー選択ＩＤ変換テーブル１１８ｄに登録する（ステップＳ８５）。その後、メニュー処理部１１９は、ステップＳ８２に処理を移行し、上述したと同様な処理を続行する。
【０１４４】
実施例３によれば、オペレータパネル部１６に図１５に示す装置選択メニュー画面、及び、図１６に示すＡ−Ｔｙｐｅ用、Ｂ−Ｔｙｐｅ用、Ｃ−Ｔｙｐｅ用のいずれかのトレイ名設定入力画面を表示させたのち、このトレイ名設定入力画面に入力された情報に基づき、メニュー処理部１１９が、実施装置トレイ選択ＩＤ参照リスト１１８ｆ及び標準装置トレイ選択ＩＤ参照リスト１１８ａを参照し、パネル処理部１１７から入力された実施装置のトレイ名と標準装置のトレイ名からトレイ選択ＩＤ変換テーブル１１８ｃを構成するトレイ選択ＩＤ変換データを生成するので、多様なタイプの画像形成装置においても、ユーザがトレイ選択ＩＤ変換テーブル１１８ｃを容易に変更することができる。
【０１４５】
また、実施例３によれば、オペレータパネル部１６に図１５に示す装置選択メニュー画面、及び、図１７に示すＡ−Ｔｙｐｅ用、Ｂ−Ｔｙｐｅ用、Ｃ−Ｔｙｐｅ用のいずれかのスタッカー名設定入力画面を表示させたのち、このスタッカー名設定入力画面に入力された情報に基づき、メニュー処理部１１９が、実施装置スタッカー選択ＩＤ参照リスト１１８ｇ及び標準装置スタッカー選択ＩＤ参照リストＤＢ１１８ｂを参照し、パネル処理部１１７から入力された実施装置スタッカー名と標準装置スタッカー名からスタッカー選択ＩＤ変換テーブル１１８ｄを構成するスタッカー選択ＩＤ変換データを生成するので、多様なタイプの画像形成装置においても、ユーザがスタッカー選択ＩＤ変換テーブル１１８ｄを容易に  変更することができる。
【実施例４】
【０１４６】
図２０は、本発明に係る実施例４の画像形成装置に有するコントローラ部の構成を示すブロック図である。実施例４の画像形成装置１は、実施例３の画像形成装置１と同様、図１に示すように、イーサネット等のネットワークケーブル、セントロニクス、ＵＳＢ、ＲＳ２３２Ｃ等のケーブル４により上位装置としてのユーザ端末２と接続されている。
【０１４７】
実施例４の画像形成装置１は、図１に示すように、コントローラ部１１と、エンジン制御部１２と、給紙部１３と、排紙部１４と、用紙走行部１５と、オペレータパネル部１６と、印刷制御部１７とを備えて構成されている。ここで、エンジン制御部１２、給紙部１３、排紙部１４、用紙走行部１５、及び、印刷制御部１７は、実施例３のものと同一な構成である。
【０１４８】
オペレータパネル部１６は、実施例３のオペレータパネル部１６と同一な機能を有するとともに、更に、図２１に示す装置選択メニュー画面を表示部１６１に表示させる。
【０１４９】
図２１に示す装置選択メニュー画面は、不揮発性メモリ１１８の表示データ記憶部１１８ｉに記憶されているＡ−Ｔｙｐｅ用、Ｂ−Ｔｙｐｅ用、及び、Ｃ−Ｔｙｐｅ用トレイ名設定入力画面の表示データ、及び、Ａ−Ｔｙｐｅ用、Ｂ−Ｔｙｐｅ用、及び、Ｃ−Ｔｙｐｅ用スタッカー名設定入力画面の表示データ以外に、新たなＴｙｐｅ用トレイ名設定入力画面の表示データ、及び、Ｔｙｐｅ用スタッカー名設定入力画面の表示データを登録する際に使用される表示画面である。
【０１５０】
図２０に示すコントローラ部１１は、Ｉ／Ｆ送受信処理部１１１、ＲＡＭメモリ１１２、解析／編集処理部１１３、展開処理部１１４、ＶＩＤＥＯ処理部１１５、ステータス制御部１１６、パネル処理部１１７、不揮発性メモリ１１８、メニュー処理部１１９、初期化処理部１２０、選択ＩＤ補正処理部１２１、エンジンＩ／Ｆ制御部１２２、及び、メニュー項目追加処理部１２３を備える。ここで、Ｉ／Ｆ送受信処理部１１１、ＲＡＭメモリ１１２、展開処理部１１４、ＶＩＤＥＯ処理部１１５、ステータス制御部１１６、パネル処理部１１７、メニュー処理部１１９、初期化処理部１２０、選択ＩＤ補正処理部１２１、及びエンジンＩ／Ｆ制御部１２２は、実施例３のものと同一な構成及び機能を有する。
【０１５１】
解析／編集処理部１１３は、実施例３の解析／編集処理部１１３と同じ機能を有し、更に、ユーザ端末２から送信されてきた印刷ＪＯＢデータ中の、図２２に示す処理指定領域にメニュー項目の追加を要求する情報が記述されていることを確認すると、新たなＴｙｐｅ用トレイ名設定入力画面の表示データ、及び、新たなＴｙｐｅ用スタッカー名設定入力画面の表示データを不揮発性メモリ１１８の表示データ記憶部１１８ｉに登録させる要求をメニュー項目追加処理部１２３に出力する。
【０１５２】
なお、ユーザ端末２から送信されてきた印刷ＪＯＢデータは、例えば図２２に示すように、上述した処理指定領域と、不揮発性メモリ１１８の表示データ記憶部１１８ｉに新たに登録するＴｙｐｅ用トレイ名設定入力画面の表示データ、及び、新たなＴｙｐｅ用スタッカー名設定入力画面の表示データが記述されている。
【０１５３】
不揮発性メモリ１１８は、標準装置トレイ選択ＩＤ参照リストＤＢ１１８ａ、標準装置
スタッカー選択ＩＤ参照リストＤＢ１１８ｂ、トレイ選択ＩＤ変換テーブル１１８ｃ、スタッカー選択ＩＤ変換テーブル１１８ｄ、実施装置トレイ選択ＩＤ参照リスト１１８ｆ、実施装置スタッカー選択参照ＩＤリスト１１８ｇ、及び、表示データ記憶部１１８ｉを有している。ここで、標準装置トレイ選択ＩＤ参照リストＤＢ１１８ａ、標準装置スタッカー選択ＩＤ参照リストＤＢ１１８ｂ、トレイ選択ＩＤ変換テーブル１１８ｃ、スタッカー選択ＩＤ変換テーブル１１８ｄ、実施装置トレイ選択ＩＤ参照リスト１１８ｆ、及び、実施装置スタッカー選択参照ＩＤリスト１１８ｇは、実施例３のものと同一である。
【０１５４】
表示データ記憶部１１８ｉは、実施例３のものと同一な表示データを記憶しているとともに、更に、装置選択メニュー画面の表示データ、並びに、新たなＴｙｐｅ用トレイ名設定入力画面の表示データ、及び、装置選択メニュー画面の表示データを記憶する。
【０１５５】
メニュー項目追加処理部１２３は、上記要求が解析／編集処理部１１３から入力されると、ＲＡＭメモリ１１２の送受信バッファに記憶されている印刷ＪＯＢデータに記述されているＴｙｐｅ用トレイ名設定入力画面の表示データ、及び、Ｔｙｐｅ用スタッカー名設定入力画面の表示データを読み出し、これらの表示データを表示データ記憶部１１８ｉに登録する。
【０１５６】
ユーザ端末２は、制御部（図示せず）、記憶部（図示せず）、表示部（図示せず）、操作部（図示せず）、及び送受信部（図示せず）を備えている。このユーザ端末２は、制御部が記憶部に記憶されている制御プログラムに従って、ユーザが表示部から入力された情報を基にして、図２２に示す上述した印刷ＪＯＢデータを生成する。その後、送受信部は、生成した印刷ＪＯＢデータを実施例３の画像形成装置１にケーブル４を介して送信する。
【０１５７】
次に、ユーザ端末２からメニュー項目の追加を要求する情報が記述された印刷ＪＯＢデータを受信したのちの、本発明に係る実施例４画像形成装置の動作を説明する。図２３は、ユーザ端末から処理指定領域にメニュー項目の追加を要求する情報が記述されえた印刷ＪＯＢデータを受信したのちの、本発明に係る実施例４画像形成装置の動作を示すフローチャートである。なお、実際に印刷依頼する印刷ＪＯＢデータの場合の動作については、実施例１の画像形成装置が実行する動作と同様なので、その説明を省略する。
【０１５８】
画像形成装置１のＩ／Ｆ送受信処理部１１１は、ユーザ端末２から例えば図２２に示す印刷ＪＯＢデータを受信すると、この印刷ＪＯＢデータをＲＡＭメモリ１１２の送受信バッファ１１２ａに一時記憶させるとともに（ステップＳ９１）、解析／編集処理部１１３に印刷ＪＯＢデータが入力された旨を出力する（ステップＳ９２）。
【０１５９】
すると、解析／編集処理部１１３は、送受信バッファ１１２ａから印刷ＪＯＢデータを読出し、この印刷ＪＯＢデータ中の処理指定領域にメニュー項目の追加を要求する情報が記述されているのを確認すると（ステップＳ９３）、新たにＴｙｐｅ用トレイ名設定入力画面の表示データ、及び、Ｔｙｐｅ用スタッカー名設定入力画面の表示データを不揮発性メモリ１１８の表示データ記憶部１１８ｉに登録させる要求をメニュー項目追加処理部１２３に出力する（ステップＳ９４）。
【０１６０】
メニュー項目追加処理部１２３は、前述の要求が解析／編集処理部１１３から入力されると、ＲＡＭメモリ１１２の送受信バッファ１１２ａに記憶されている印刷ＪＯＢデータに記述されている、上述した装置選択メニュー画面の表示データ、並びに、新たに登録するＤ−Ｔｙｐｅ用トレイ名設定入力画面の表示データ、及び、Ｄ−Ｔｙｐｅ用スタッカー名設定入力画面の表示データを読み出し、これらの読み出した表示データを不揮発性メモリ１１８の表示データ記憶部１１８ｉに登録し（ステップＳ９５）、処理を終了する。
【０１６１】
この実施例４によれば、メニュー項目追加処理部１２３により、装置選択メニュー画面の表示データ、並びに、表示データ記憶部１１８ｉに記憶されていないＤ−Ｔｙｐｅ用トレイ名設定入力画面の表示データ、及び、表示データ記憶部１１８ｉに記憶されていないＤ−Ｔｙｐｅ用スタッカー名設定入力画面の表示データを表示データ記憶部１１８ｉに記憶させるので、ユーザがトレイ選択ＩＤ及びスタッカー選択ＩＤを設定する際に多様な設定情報を得ることができる。
【実施例５】
【０１６２】
図２４は、本発明に係る実施例５の画像形成装置に有するコントローラ部の構成を示すブロック図である。実施例５の画像形成装置１は、実施例４の画像形成装置１と同様、図１に示すように、イーサネット等のネットワークケーブル、セントロニクス、ＵＳＢ、ＲＳ２３２Ｃ等のケーブル４により上位装置としてのユーザ端末２と接続されている。
【０１６３】
実施例５の画像形成装置１は、図１に示すように、コントローラ部１１と、エンジン制御部１２と、給紙部１３と、排紙部１４と、用紙走行部１５と、オペレータパネル部１６と、印刷制御部１７とを備えて構成されている。ここで、エンジン制御部１２、給紙部１３、排紙部１４、用紙走行部１５、及び、印刷制御部１７は、実施例４のものと同一な構成である。
【０１６４】
図２４に示すように、コントローラ部１１は、Ｉ／Ｆ送受信処理部１１１、ＲＡＭメモリ１１２、解析／編集処理部１１３、展開処理部１１４、ＶＩＤＥＯ処理部１１５、ステータス制御部１１６、パネル処理部１１７、不揮発性メモリ１１８、メニュー処理部１１９、初期化処理部１２０、選択ＩＤ補正処理部１２１、エンジンＩ／Ｆ制御部１２２、及び、変換テーブル作成部１２５を備える。ここで、Ｉ／Ｆ送受信処理部１１１、ＲＡＭメモリ１１２、及び、解析／編集処理部１１３、展開処理部１１４、ＶＩＤＥＯ処理部１１５、ステータス制御部１１６、パネル処理部１１７、不揮発性メモリ１１８、メニュー処理部１１９、初期化処理部１２０、選択ＩＤ補正処理部１２１、及び、メニュー項目追加処理部１２３は、実施例１のものと同一な構成及び機能を有する。
【０１６５】
解析／編集処理部１１３は、実施例１のものと同一な構成を有し、更に、ＲＡＭメモリ１１２の送受信バッファ１１２ａに記憶されている後述する印刷ＪＯＢデータの処理指定領域（図２６参照）に記述されている情報を読み出し、この情報がテーブル作成要求を示す情報である場合には、変換テーブル作成処理部１２５に対してトレイ選択ＩＤ変換テーブル及びスタッカー選択ＩＤ変換テーブルの作成要求を出力する。
【０１６６】
変換テーブル作成処理部１２５は、ＲＡＭメモリ１１２の送受信バッファ１１２ａに記憶されている印刷ＪＯＢデータのトレイ選択ＩＤ変換テーブルデータ記述領域からトレイ選択ＩＤ変換テーブルデータ、及び、スタッカー選択ＩＤ変換テーブルデータ記述領域からスタッカー選択ＩＤ変換テーブルデータを逐次読み出す。そして、変換テーブル作成処理部１２５は、読み出したトレイ選択ＩＤ変換テーブルデータ及びスタッカー選択ＩＤ変換テーブルデータのそれぞれから、トレイ選択ＩＤ変換テーブル１１８ｃ及びスタッカー選択ＩＤ変換テーブル１１８ｄを生成する。なお、トレイ選択ＩＤ変換テーブル１１８ｃ及びスタッカー選択ＩＤ変換テーブル１１８ｄの生成の方法は、動作の説明に詳述する。
【０１６７】
ユーザ端末２は、記憶部２１と、制御部２２と、送受信部２３と、操作部２４とを備える。制御部２２及び送受信部２３は、記憶部に記憶されている制御プログラム（図示せず）をＣＰＵ（図示せず）が実行することにより形成され以下に示す機能を有する。
【０１６８】
記憶部２１は、ＲＡＭ、ＲＯＭ、及び、ハードディスク装置により形成され、図２５に示すように、標準装置トレイ選択ＩＤ参照リストＤＢ２１１、標準装置スタッカー選択ＩＤ参照リストＤＢ２１２、及び、表示データ記憶部２１３を有している。
【０１６９】
標準装置トレイ選択ＩＤ参照リストＤＢ２１１は、エミュレーション名がＰＣＬ、ＰＳ、及び、ＳＩＤＭの標準トレイ選択参照リストを記憶する。エミュレーション名がＰＣＬ、ＰＳ、及び、ＳＩＤＭの標準トレイ選択参照リストの各々は、例えば図６（ａ）に示すように、標準画像形成装置３に使用されているエミュレーション名、標準画像形成装置３に割り当てられたトレイＮｏ、このトレイＮｏに設置されている標準装置トレイ名、及び、この標準装置トレイ名のトレイに割り当てられた標準装置トレイ選択ＩＤからなるデータが記述されている。
【０１７０】
標準装置スタッカー選択ＩＤ参照リストＤＢ２１２は、エミュレーション名がＰＣＬ、ＰＳ、及び、ＳＩＤＭの標準スタッカー選択参照リストを記憶する。エミュレーション名がＰＣＬ、ＰＳ、及び、ＳＩＤＭの標準スタッカー選択参照リストの各々は、図６（ｂ）に示すように、標準画像形成装置３に使用されているエミュレーション名、標準画像形成装置３に割り当てられたスタッカーＮｏ、このスタッカーＮｏに設置されている標準装置スタッカー名、及び、この標準装置スタッカー名のスタッカーに割り当てられた標準装置スタッカー選択ＩＤからなるデータが記述されている。
【０１７１】
表示データ記憶部２２ｃは、操作部２４に表示する表示画面を表示する表示データを記憶する。表示データとして、例えば、実施例１において説明した図５に示すトレイ／スタッカー選択入力画面を表示する表示データがある。
【０１７２】
制御部２２は、操作部２４から、エミュレーション名、トレイＮｏ及び実施装置トレイ選択ＩＤ、並びに、エミュレーション名、スタッカーＮｏ及び実施装置スタッカー選択ＩＤが入力されると、エミュレーション名、トレイＮｏ及び実施装置トレイ選択ＩＤが記述された実施例１に述べたもの同一なトレイ選択ＩＤ入力データ、並びに、エミュレーション名、スタッカーＮｏ及び実施装置スタッカー選択ＩＤが記述された実施例１に述べたものと同一なスタッカー選択ＩＤ入力データを生成する。
【０１７３】
また、制御部２２は、記憶部２１の標準装置トレイ選択ＩＤ参照リストＤＢ２１１に記憶されている標準装置トレイ選択ＩＤ参照リストのうち、生成したトレイ選択ＩＤ入力データに記述されたエミュレーション名の標準装置トレイ選択ＩＤ参照リストから、生成したトレイ選択ＩＤ入力データに記述されたトレイＮｏに対応する標準装置トレイ選択ＩＤを読み出す。そして、制御部２２は、トレイ選択ＩＤ入力データに記述されているトレイＮｏ、先に標準装置トレイ選択ＩＤ参照リストから読み出した標準装置トレイ選択ＩＤ、及び、トレイ選択ＩＤ入力データに記述されている実施装置トレイ選択ＩＤからなるトレイ選択ＩＤ変換テーブルデータを生成し、記憶部２１のワーク領域（図示せず）に記憶する。
【０１７４】
また、制御部２２は、記憶部２１の標準装置スタッカー選択ＩＤ参照リストＤＢ２１２に記憶されている標準装置スタッカー選択ＩＤ参照リストのうち、生成したスタッカー選択ＩＤ入力データに記述されたエミュレーション名の標準装置スタッカー選択ＩＤ参照リストから、生成したスタッカー選択ＩＤ入力データに記述されたスタッカーＮｏに対応する標準装置スタッカー選択ＩＤを読み出す。そして、制御部２２は、スタッカー選択ＩＤ入力データに記述されているスタッカーＮｏ、先に標準装置スタッカー選択ＩＤ参照リストから読み出した標準装置スタッカー選択ＩＤ、及び、スタッカー選択ＩＤ入力データに記述されている実施装置スタッカー選択ＩＤからなるスタッカー選択ＩＤ変換テーブルデータを生成し、記憶部２１のワーク領域に記憶する。
【０１７５】
更に、制御部２２は、図２６に示すように、処理指定領域に変換テーブルの作成要求を示す情報を記述し、次に、トレイ選択ＩＤ変換テーブル記述領域にワーク領域に記憶されているトレイ選択ＩＤ変換テーブルデータを記述し、更に、スタッカー選択ＩＤ変換テーブル記述領域にワーク領域に記憶されているスタッカー選択ＩＤ変換テーブルデータを記述した印刷ＪＯＢデータを生成し、この印刷ＪＯＢデータを送受信部２３に出力する。
【０１７６】
送受信部２３は、画像形成装置１に前述の印刷ＪＯＢデータを送信するとともに、画像形成装置１からこの装置の状態を示すステータス情報を受信する。
【０１７７】
操作部２４は、印刷ＪＯＢデータを画像形成装置１に送信する際に使用される操作キー及び表示部を備えている。表示部には、例えば、実施例１において説明した図５に示すトレイ／スタッカー選択ＩＤ入力画面を表示する。
【０１７８】
次に、トレイ選択ＩＤ変換テーブル及びスタッカー選択ＩＤ変換テーブルを作成するまでの、本発明に係る実施例５画像形成装置が設置されている画像形成システムの動作を説明する。なお、これらの変換テーブルが作成されたのち、実際に印刷処理を実行する動作については、実施例１の画像形成装置が実行する動作と同様なので、その説明を省略する。
【０１７９】
図２７は、トレイ選択ＩＤ変換テーブル及びスタッカー選択ＩＤ変換テーブルを作成するまでの、本発明に係る画像形成装置１が設置された画像形成システムの動作を示すフローチャートである。まず、ユーザがユーザ端末２の操作部２４に設けられている操作キーを使用して、図５に示すトレイ／スタッカー選択ＩＤ入力画面を操作部に表示させ（ステップＳ１０１）、例えば、図５に示すように、エミュレーション名入力欄に入力された「ＰＣＬ」を、トレイＮｏが１から６までの各実施装置トレイ選択ＩＤを、更に、スタッカーＮｏ１から５までの各実施装置スタッカー選択ＩＤを入力したのち、ＯＫボタンをクリックすると、操作部２４は、エミュレーション名、トレイＮｏごとの実施装置トレイ選択ＩＤ、及び、スタッカーＮｏごとの実施装置スタッカー選択ＩＤを制御部２２に出力する。
【０１８０】
制御部２２は、エミュレーション名、トレイＮｏごとの実施装置トレイ選択ＩＤ、及び、スタッカーＮｏごとの実施装置スタッカー選択ＩＤが操作部２４から入力されると、次に示すトレイ選択ＩＤ入力データ及びスタッカー選択ＩＤ入力データを生成し（ステップＳ１０２）、これらのトレイ選択ＩＤ入力データ及びスタッカー選択ＩＤ入力データを記憶部２１のワーク領域に記憶する。
【０１８１】
制御部２２により生成されたトレイ選択ＩＤ入力データは、１）エミュレーション名が「ＰＣＬ」で、トレイＮｏが「１」で、かつ、実施装置トレイ選択ＩＤが「２」が記述されたトレイ選択ＩＤ入力データ、２）エミュレーション名が「ＰＣＬ」で、トレイＮｏが「２」で、かつ、実施装置トレイ選択ＩＤが「１」が記述されたトレイ選択ＩＤ入力データ、３）エミュレーション名が「ＰＣＬ」で、トレイＮｏが「３」で、かつ、実施装置トレイ選択ＩＤが「５」が記述されたトレイ選択ＩＤ入力データ、４）エミュレーション名が「ＰＣＬ」で、トレイＮｏが「４」で、かつ、実施装置トレイ選択ＩＤが「８」が記述されたトレイ選択ＩＤ入力データ、５）エミュレーション名が「ＰＣＬ」で、トレイＮｏが「５」で、かつ、実施装置トレイ選択ＩＤが「３」が記述されたトレイ選択ＩＤ入力データ、６）エミュレーション名が「ＰＣＬ」で、トレイＮｏが「６」で、かつ、実施装置トレイ選択ＩＤが「９」が記述されたトレイ選択ＩＤ入力データである。
【０１８２】
また、制御部２２により生成されたスタッカー選択ＩＤ入力データは、１）エミュレーション名が「ＰＣＬ」で、スタッカーＮｏが「１」で、かつ、実施装置スタッカー選択ＩＤが「３」が記述されたスタッカー選択ＩＤ入力データ、２）エミュレーション名が「ＰＣＬ」で、スタッカーＮｏが「２」で、かつ、実施装置スタッカー選択ＩＤが「５」が記述されたスタッカー選択ＩＤ入力データ、３）エミュレーション名が「ＰＣＬ」で、スタッカーＮｏが「３」で、かつ、実施装置スタッカー選択ＩＤが「２」が記述されたスタッカー選択ＩＤ入力データ、４）エミュレーション名が「ＰＣＬ」で、スタッカーＮｏが「４」で、かつ、実施装置スタッカー選択ＩＤが「１」が記述されたスタッカー選択ＩＤ入力データ、５）エミュレーション名が「ＰＣＬ」で、スタッカーＮｏが「５」で、かつ、実施装置スタッカー選択ＩＤが「４」が記述されたスタッカー選択ＩＤ入力データである。
【０１８３】
次に、制御部２２は、上述したトレイ選択ＩＤ入力データ及びスタッカー選択ＩＤ入力データを記憶部２１のワーク領域に記憶させると、図２６に示すように、処理指定領域に変換テーブルの作成要求を示す情報を記述し、その後、トレイ選択ＩＤ変換テーブル記述領域にワーク領域に記憶されているトレイ選択変換テーブルデータを記述し、更に、スタッカー選択ＩＤ変換テーブル記述領域にワーク領域に記憶されているスタッカー選択変換テーブルデータを記述した印刷ＪＯＢデータを生成し（ステップＳ１０３）、この印刷ＪＯＢデータを送受信部２３に出力する（ステップＳ１０４）。
【０１８４】
送受信部２３は、制御部２２から入力された印刷ＪＯＢデータをケーブル４を介して画像形成装置１に送信する。
【０１８５】
画像形成装置１のＩ／Ｆ送受信処理部１１１は、ユーザ端末２から印刷ＪＯＢデータを受信すると、この印刷ＪＯＢデータをＲＡＭメモリ１１２の送受信バッファ１１２ａに一時記憶させるとともに、解析／編集処理部１１３に印刷ＪＯＢデータが入力された旨を出力する。
【０１８６】
すると、解析／編集処理部１１３は、送受信バッファ１１２ａから印刷ＪＯＢデータを読出し、この印刷ＪＯＢデータの処理指定領域にテーブル作成要求を示す情報が記述されていることを確認すると、変換テーブル作成処理部１２５にトレイ選択ＩＤ変換テーブル１１８ｃ及びスタッカー選択ＩＤ変換テーブル１１８ｄの作成要求を出力する（ステップＳ１０５）。
【０１８７】
変換テーブル作成処理部１２５は、ＲＡＭメモリ１１２の送受信バッファ１１２ａに記述されているトレイ選択ＩＤ変換テーブルデータを順次読み出し、トレイ選択ＩＤ変換テーブル１１８ｃに登録する（ステップＳ１０６）。
【０１８８】
その後、変換テーブル作成処理部１２５は、ＲＡＭメモリ１１２の送受信バッファ１１２ａに記述されているスタッカー選択ＩＤ変換テーブルデータを順次読み出し、スタッカー選択ＩＤ変換テーブル１１８ｄに登録し（ステップＳ１０７）、処理を終了する。
【０１８９】
実施例５によれば、ユーザ端末２の制御部２２がトレイ選択ＩＤ変換データ及びスタッカー選択変換データを記述した印刷ＪＯＢデータを生成し、この印刷ＪＯＢデータを画像形成装置１に送信し、画像形成装置１の変換テーブル作成処理部１２５が、ユーザ端末２から受信したトレイ選択ＩＤ変換データ及びスタッカー選択ＩＤ変換データに基づき、トレイ選択ＩＤ変換テーブル１１８ｃ及びスタッカー選択ＩＤ変換テーブル１１８ｄを生成するので、トレイ選択ＩＤ変換テーブル１１８ｃ及びスタッカー選択ＩＤ変換テーブル１１８ｄを作成する処理を、ユーザはユーザ端末２から行うことができる。
【実施例６】
【０１９０】
図２８は、本発明に係る画像形成装置の実施例６の構成を示すブロック図である。この実施例６の画像形成装置は、実施例１の画像形成装置１と同様、図１に示すように、イーサネット等のネットワークケーブル、セントロニクス、ＵＳＢ、ＲＳ２３２Ｃ等のケーブル４により上位装置としてのユーザ端末２と接続されている。
【０１９１】
実施例６の画像形成装置１は、図１に示すように、コントローラ部１１と、エンジン制御部１２と、給紙部１３と、排紙部１４と、用紙走行部１５と、オペレータパネル部１６と、印刷制御部１７とを備えて構成されている。ここで、エンジン制御部１２、給紙部１３、排紙部１４、用紙走行部１５、オペレータパネル部１６、及び、印刷制御部１７は、実施例１のものと同一な構成である。
【０１９２】
コントローラ部１１は、Ｉ／Ｆ送受信処理部１１１、ＲＡＭメモリ１１２、解析／編集処理部１１３、展開処理部１１４、ＶＩＤＥＯ処理部１１５、ステータス制御部１１６、パネル処理部１１７、不揮発性メモリ１１８、メニュー処理部１１９、初期化処理部１２０、トレイ選択ＩＤ補正処理部１２１、エンジンＩ／Ｆ制御部１２２、トレイ選択ＩＤ変更処理部１２６、及び、用紙セット有無情報取得部１２７とを備える。ここで、Ｉ／Ｆ送受信処理部１１１、ＲＡＭメモリ１１２、展開処理部１１４、ＶＩＤＥＯ処理部１１５、ステータス制御部１１６、初期化処理部１２０、トレイ選択ＩＤ補正処理部１２１及び、エンジンＩ／Ｆ制御部１２２は、実施例１のこれらのものと同一な機能を有するので、これらの構成部分についての説明を省略する。
【０１９３】
ＲＡＭメモリ１１２は、実施例１のもの以外に、ワーク領域１１２ｂに後述する専有モード情報を更に記憶する。
【０１９４】
解析／編集処理部１１３は、実施例１のものが備える機能以外に、ＲＡＭメモリ１１２のワーク領域１１２ｂに専有モード情報が記憶されているか否かを判定し、ワーク領域１１２ｂに専有モード情報が記憶されていると判定した場合には、トレイ選択ＩＤ変更処理部１２６に対してトレイ選択ＩＤ変換テーブル１１８ｃの標準装置トレイ選択ＩＤを変更させる指示を更に出力する機能を備える。
【０１９５】
パネル処理部１１７は、オペレータパネル部１６から入力された、図２９に示すモード選択メニュー画面中の「設定時の専有モード」の箇所のチェックボックスがクリックされた旨の通知をメニュー処理部１１９に出力する。
【０１９６】
不揮発性メモリ１１８は、例えばＥＰＲＯＭからなり、標準装置トレイ選択ＩＤ参照リストＤＢ１１８ａ、標準装置スタッカー選択ＩＤ参照リストＤＢ１１８ｂ、トレイ選択ＩＤ変換テーブル１１８ｃ、スタッカー選択ＩＤ変換テーブル１１８ｄ、表示データ記憶部１１８ｉ、及び、用紙セット有無データリスト１１８ｊを有する。ここで、標準装置トレイ選択ＩＤ参照リストＤＢ１１８ａ、標準装置スタッカー選択ＩＤ参照リストＤＢ１１８ｂ、トレイ選択ＩＤ変換テーブル１１８ｃ、スタッカー選択ＩＤ変換テーブル１１８ｄ、及び、表示データ記憶部１１８ｉは、実施例１の画像形成装置１のものと同一である。
【０１９７】
用紙セット有無データリスト１１８ｊは、図３０に示すように、トレイＮｏとこのトレイＮｏに示されたトレイに用紙がセットされているか否かを示す情報とが記述されているリストである。
【０１９８】
メニュー処理部１１９は、「設定時の専有モード」の箇所のチェックボックスがクリックされた旨がパネル処理部１１７から入力されると、「設定時の専有モード」であると認識し、用紙セット有無情報取得部１２７に設定時の専有モード状態にあることを通知するとともに、ＲＡＭメモリ１１２のワーク領域１１２ｂに「設定時の専有モード」であることを示す設定時専有情報を書き込む。
【０１９９】
トレイ選択ＩＤ変更処理部１２６は、解析／編集処理部からの指示に従い、不揮発性メモリ１１８に有する用紙セット有無データリスト１１８ｊを参照して用紙がセットされたトレイＮｏを読出す。そして、トレイ選択ＩＤ変更処理部１２６は、ＲＡＭメモリ１１２に記憶されている印刷ＪＯＢデータに記述されている標準装置トレイ選択ＩＤを読出す。
【０２００】
また、トレイ選択ＩＤ変更処理部１２６は、読み出したトレイＮｏが記述されているトレイ選択ＩＤ変換テーブル１１８ｃのトレイＮｏに対応する標準装置トレイ選択ＩＤの箇所に、先に読み出した標準装置トレイ選択ＩＤを書き込み、トレイ選択ＩＤ変換テーブル１１８ｃを更新したのち、解析／編集処理部１１３に対して変更終了した旨を出力する。
【０２０１】
例えば、用紙がセットされたトレイＮｏが図３０に示すように「４」で、かつ、読み出した標準装置トレイ選択ＩＤが「９」の場合には、図７に示すトレイ選択ＩＤ変換テーブル１１８ｃ中のトレイＮｏが「４」に対応する箇所の標準装置トレイ選択ＩＤが「２」から「９」に変更される。
【０２０２】
用紙セット有無情報取得部１２７は、エンジン制御部１２、及びエンジンＩ／Ｆ制御部１２２を介して、給紙部１３の各トレイに設けられているセンサから各トレイにおける用紙の有無の状態を示す用紙セット有無情報を取得する。また、用紙セット有無情報取得部１２７は、取得した用紙セット有無情報から例えば図３０に示す用紙セット有無データリスト１１８ｊを不揮発性メモリ１１８に生成する。
【０２０３】
オペレータパネル部１６の表示部１６１は、図２９に示すモード選択メニュー画面を表示する。
【０２０４】
給紙部１３は、用紙のセットを検出するセンサをトレイに備える。
【０２０５】
次に、本発明に係る実施例６の画像形成装置の動作を説明する。
【０２０６】
図３１は、本発明に係る実施例６の画像形成装置の動作を示すフローチャートである。まず、標準装置トレイ選択ＩＤを変更する際に使用されるトレイにのみに用紙がユーザによりセットされる。すると、このトレイに備えられているセンサ（図示せず）により用紙がセットされた旨が検知される（ステップＳ１２１）。
【０２０７】
次に、ユーザがオペレータパネル部１６に設けられている操作部１６２に設けられている操作キーを使用して、図２９に示すモード選択メニュー画面を表示部１６１に表示させる（ステップＳ１２２）。その後、ユーザにより、モード選択メニュー画面に表示されている「設定時の専有モード」の箇所に表示されているチェックボックスがクリックされたのち、ＯＫボタンが更にクリックされると、オペレータパネル部１６は、「設定時の専有モード」の箇所のチェックボックスがクリックされた旨の通知をパネル処理部１１７に出力する。
【０２０８】
パネル処理部１１７は、前述の通知がオペレータパネル部１６から入力されると、この通知をメニュー処理部１１９に出力する。
【０２０９】
メニュー処理部１１９は、「設定時の専有モード」の箇所のチェックボックスがクリックされた旨の通知がパネル処理部１１７から入力されると、ＲＡＭメモリ１１２のワーク領域１１２ｂに設定時の専有モード状態にあること示す設定時専用情報を書き込むとともに（ステップＳ１２３）、設定時の専有モード状態にあることを用紙セット有無情報取得部１２７に通知する。
【０２１０】
次に、用紙セット有無情報取得部１２７は、前述の通知がメニュー処理部１１９から入力されると、エンジン制御部１２、及びエンジンＩ／Ｆ制御部１２２を介して、給紙部１３の各トレイに設けられているセンサから、用紙のセット状態を知らせる、トレイＮｏと用紙のセット情報の有無とが記述された用紙セット有無データを取得する。次に、用紙セット有無情報取得部１２７は、用紙セット有無データを用いて、図３０に示す用紙セット有無データリスト１１８ｊを不揮発性メモリ１１８に生成する（ステップＳ１２４）。なお、図３０に示す用紙セット有無データリスト１１８ｊは、トレイＮｏが「４」のトレイのみに用紙がセットされていることが示されている。
【０２１１】
その後、Ｉ／Ｆ送受信処理部１１１は、ユーザ端末２から印刷ＪＯＢデータを受信すると（ステップＳ１２４）、この印刷ＪＯＢデータをＲＡＭメモリ１１２の送受信バッファ１１２ａに記憶させるとともに、印刷ＪＯＢデータが入力された旨を解析／編集処理部１１３に出力する。
【０２１２】
次に、解析／編集処理部１１３は、ＲＡＭメモリ１１２のワーク領域１１２ｂに設定時専有モード情報が記憶されているか否かを確認する（ステップＳ１２５）。解析／編集処理部１１３は、ＲＡＭメモリ１１２のワーク領域１１２ｂに設定時専有モード情報が記憶されていないと判定した場合には（ステップＳ１２５；ＮＯ）、ステップＳ１２８に処理を移行させる。一方、解析／編集処理部１１３は、ＲＡＭメモリ１１２のワーク領域１１２ｂに設定時専有モード情報が記憶されていると判定した場合には（ステップＳ１２５；ＹＥＳ）、送受信バッファ１１２ａに記憶されている印刷ＪＯＢデータに記述されている標準装置トレイ選択ＩＤ及び標準装置スタッカー選択ＩＤを読み出し、この読み出した標準装置トレイ選択ＩＤ及び標準装置スタッカー選択ＩＤをＲＡＭメモリ１１２のワーク領域１１２ｂに書き込むとともに、トレイ選択ＩＤ変更処理部１２６に対し、不揮発性メモリ１１８に有する図３０に示すトレイ選択ＩＤ変換テーブル１１８ｃを更新させる指示を出力する（ステップＳ１２６）。
【０２１３】
トレイ選択ＩＤ変更処理部１２６は、上記指示が解析／編集処理部１１３から入力されると、解析／編集処理部からの指示に従い、不揮発性メモリ１１８に有する用紙セット有無データリスト１１８ｊを参照し用紙がセットされたトレイＮｏを読出す。次に、トレイ選択ＩＤ変更処理部１２６は、ＲＡＭメモリ１１２のワーク領域１１２ｂに記憶されている印刷ＪＯＢデータに記述されている標準装置トレイ選択ＩＤを読出す。
【０２１４】
その後、トレイ選択ＩＤ変更処理部１２６は、読み出したトレイＮｏが記述されているトレイ選択ＩＤ変換テーブル１１８ｃのトレイＮｏに対応する標準装置トレイ選択ＩＤの箇所に、先に読み出した標準装置トレイ選択ＩＤを書き込み（ステップＳ１２７）、トレイ選択ＩＤ変換テーブル１１８ｃを更新したのち、解析／編集処理部１１３に対して変更が終了した旨を出力する。
【０２１５】
次に、解析／編集処理部１１３は、ワーク領域１１２ｂに記憶されている標準装置トレイ選択ＩＤ及び標準装置スタッカー選択ＩＤを選択ＩＤ補正処理部１２１に出力する（ステップＳ１２８）。
【０２１６】
選択ＩＤ補正処理部１２１は、標準装置トレイ選択ＩＤ及び標準装置スタッカー選択ＩＤが解析／編集処理部１１３から入力されると、標準装置トレイ選択ＩＤに対応する実施装置トレイ選択ＩＤを、不揮発性メモリ１１８に有するトレイ選択ＩＤ変換テーブル１１８ｃ（図７（ａ）参照）から読出すとともに、標準装置スタッカー選択ＩＤに対応する実施装置スタッカー選択ＩＤを、不揮発性メモリ１１８に有するスタッカー選択ＩＤ変換テーブル１１８ｄ（図７（ｂ）参照）から読出す（ステップＳ１２９）。次に、選択ＩＤ補正処理部は、読み出した実施装置トレイ選択ＩＤ及び実施装置スタッカー選択ＩＤを解析／編集処理部１１３に出力する。
【０２１７】
解析／編集処理部１１３は、実施装置トレイ選択ＩＤ及び実施装置スタッカー選択ＩＤが選択ＩＤ補正処理部１２１から入力されると、これらの実施装置トレイ選択ＩＤ及び実施装置スタッカー選択ＩＤをエンジンＩ／Ｆ制御部１２２に出力する（ステップＳ１３０）。次に、解析／編集処理部１１３は、ＲＡＭメモリ１１２の送受信バッファ１１２ａに記憶されている印刷ＪＯＢデータを読み出し、このデータを解析し、（ステップＳ１３１）、印刷ＪＯＢデータに埋め込まれている媒体厚及び印刷解像度をＶＩＤＥＯ処理部１１５に出力する。
【０２１８】
その後、解析／編集処理部１１３は、印刷ＪＯＢデータに埋め込まれている編集サイズ、を読み出し、この編集サイズを基にして印刷ＪＯＢデータに記述されている描画データをページ単位に編集した編集ページ情報を生成し、この編集ページ情報をＲＡＭメモリ１１２の編集ページ情報記憶領域１１２ｃに書き込むとともに、展開処理の実行要求を展開処理部１１４に出力する。
【０２１９】
ＶＩＤＥＯ処理部１１５は、入力された媒体厚及び印刷解像度に基づき、印刷画質等を規定する印刷制御パラメータを生成し、このパラメータをエンジンＩ／Ｆ制御部１２２に出力する。
【０２２０】
展開処理部１１４は、解析／編集処理部１１３から展開処理の実行要求が入力されと、ＲＡＭメモリ１１２の編集ページ情報記憶領域１１２ｃに記憶されている編集ページ情報を読み出し、この編集ページ情報をラスターデータとしての印刷イメージデータに作成し、この印刷イメージデータを圧縮又は伸張処理した印刷イメージデータをエンジンＩ／Ｆ制御部１２２に出力する。
【０２２１】
エンジンＩ／Ｆ制御部１２２は、展開処理部１１４から入力された印刷イメージデータ、並びに、ＶＩＤＥＯ処理部１１５から入力された印刷画質等を規定する印刷制御パラメータを印刷制御部１７に出力するとともに、解析／編集処理部１１３から入力された実施装置トレイ選択ＩＤ及び実施装置スタッカー選択ＩＤをエンジン制御部１２に出力する。
【０２２２】
エンジン制御部１２は、実施装置トレイ選択ＩＤ及び実施装置スタッカー選択ＩＤがエンジンＩ／Ｆ制御部１２２から入力されると、モータを駆動し、感光ドラム１５ａ、転写ローラ１５ｃ、定着ローラ１５ｅ、ピックアップローラ１５ｆ、レジストローラ１５ｇ、アイドルローラ１５ｈ、ドライブローラ１５ｉ、搬送ローラ１５ｊ、及び排出ローラ１５ｋを適宜回転させる。
【０２２３】
これにより、エンジン制御部１２に指定されたピックアップローラ１５ｆは、実施装置トレイ選択ＩＤに指定されたトレイから用紙を取り出し、レジストローラ１５ｇは、取り出された用紙を感光ドラム１５ａに搬送する。
【０２２４】
その後、印刷処理部１７は、エンジンＩ／Ｆ制御部１２２から入力された印刷イメージデータ、並びに、媒体厚及び印刷制御パラメータに基づき、帯電器でもって感光ドラム１５ａをマイナス帯電させ、露光器１５ｂでもって感光ドラム１５ａに静電潜像を形成させ、次に、現像器でもって感光ドラム１５ａに形成された静電潜像を現像剤であるマイナス帯電したトナーを用いて可視化させたのち、転写器でもって用紙にトナー像を転写させる。その後、印刷制御部１７は、定着器１５ｄでもって用紙に転写したトナー像を定着させる（テップＳ１３２）。
【０２２５】
その後、用紙走行部１５は、印刷イメージデータが印刷された用紙を排紙部１４に搬送する。
【０２２６】
排紙部１４は、印刷された用紙を、先に入力された実施例スタッカー選択ＩＤにより割り当てられたスタッカーに排紙し（ステップＳ１３３）、処理を終了する。
【０２２７】
実施例６によれば、トレイ選択ＩＤ変更処理部１２６が、用紙セット有無情報取得部１２７により取得されたトレイＮｏが記述されたトレイ選択ＩＤ変換テーブル１１８ｃに対応する標準装置トレイ選択ＩＤを、ユーザ端末２から送信されてきた印刷ＪＯＢデータに記述されている標準装置トレイ選択ＩＤに変更するので、ユーザは、トレイ選択ＩＤ変換テーブルを簡単に変更することができる。
【産業上の利用可能性】
【０２２８】
本発明に係る実施形態の共有文書印刷装置としてプリンタを用いて説明したが、本発明は、これに限るものではない。
【図面の簡単な説明】
【０２２９】
【図１】本発明に係る実施例１の画像形成装置が使用された画像形成システムの構成を示す図である。
【図２】本発明に係る実施例１の画像形成装置の概略構成図である。
【図３】図１中のコントローラ部の構成を示すブロック図である。
【図４】印刷ＪＯＢデータを説明する図である。
【図５】トレイ／スタッカー選択ＩＤ入力画面の一例を示す図である。
【図６】（ａ）図３中の標準装置トレイ選択ＩＤ参照リストを説明する図であり、（ｂ）図３中の標準装置スタッカー選択ＩＤ参照リストを説明する図である。
【図７】（ａ）図３中のトレイ選択ＩＤ変換テーブルの一例を示す図であり、（ｂ）図３中のスタッカー選択ＩＤ変換テーブルの一例を示す図である。
【図８】本発明に係る実施例１の画像形成装置の動作を示すフローチャートである。
【図９】本発明に係る実施例１の画像形成装置の動作を示すフローチャートである。
【図１０】本発明に係る実施例２の画像形成装置に有するコントローラ部の構成を示すブロック図である。
【図１１】選択ＩＤ確認ページの内容を説明する図である。
【図１２】選択ＩＤ確認ページ出力画面の一例を示す図である。
【図１３】本発明に係る実施例２の画像形成装置の動作を示すフローチャートである。
【図１４】本発明に係る実施例３の画像形成装置に有するコントローラ部の構成を示すブロック図である。
【図１５】装置選択メニュー画面の一例を示す図である。
【図１６】Ａ、Ｂ、Ｃ−Ｔｙｐｅ用トレイ名設定入力画面の一例を示す図である。
【図１７】Ａ、Ｂ、Ｃ−Ｔｙｐｅ用スタッカー名設定入力画面の一例を示す図である。
【図１８】（ａ）図１４中の実施装置トレイ選択ＩＤ参照リストの一例を示す図であり、（ｂ）図１４中の実施装置スタッカー選択ＩＤ参照リストの一例を示す図である。
【図１９】本発明に係る実施例３の画像形成装置の動作を示すフローチャートである。
【図２０】本発明に係る実施例４の画像形成装置に有するコントローラ部の構成を示すブロック図である。
【図２１】装置選択メニュー画面の一例を示す図である。
【図２２】印刷ＪＯＢデータを説明する図である。
【図２３】本発明に係る実施例４の画像形成装置の動作を示すフローチャートである。
【図２４】本発明に係る実施例５の画像形成装置に有するコントローラ部の構成を示すブロック図である。
【図２５】図２４中の記憶部の構成を示す図である。
【図２６】印刷ＪＯＢデータを説明する図である。
【図２７】本発明に係る実施例５の画像形成システムの動作を示すフローチャートである。
【図２８】本発明に係る実施例６の画像形成装置に有するコントローラ部の構成を示すブロック図である。
【図２９】モード選択メニュー画面の一例を示す図である。
【図３０】用紙セット有無情報データリストの一例を示す図である。
【図３１】本発明に係る実施例６の画像形成装置の動作を示すフローチャートである。
【符号の説明】
【０２３０】
１  画像形成装置
１１  コントローラ部
１１１  Ｉ／Ｆ送受信処理部（受信部、表示データ受信部）
１１２  ＲＡＭメモリ
１１２ａ  送受信バッファ
１１２ｂ  ワーク領域（第２の記憶部）
１１２ｃ  編集ページ情報記憶領域
１１３  解析／編集処理部
１１４  展開処理部
１１５  ＶＩＤＥＯ処理部
１１６  ステータス制御部
１１７  パネル処理部
１１８  不揮発性メモリ
１１８ａ  標準装置トレイ選択ＩＤ参照リストＤＢ
１１８ｂ  標準装置スタッカー選択ＩＤ参照リストＤＢ
１１８ｃ  トレイ選択ＩＤ変換テーブル（第１の記憶部）
１１８ｄ  スタッカー選択ＩＤ変換テーブル（第１の記憶部）
１１８ｅ  選択ＩＤ確認ページデータ記憶部
１１８ｆ  実施装置トレイ選択ＩＤ参照リスト
１１８ｇ  実施装置スタッカー選択ＩＤ参照リスト
１１８ｉ  表示データ記憶部（第３の記憶部）
１１８ｊ  用紙セット有無データリスト
１１９  メニュー処理部（収容部選択情報対応付け情報生成部、登録部）
１２０  初期化処理部
１２１  選択ＩＤ補正処理部（補正部）
１２２  エンジンＩ／Ｆ制御部
１２３  メニュー項目追加処理部
１２５  変換テーブル作成処理部
１２６  トレイ選択ＩＤ変更処理部
１２７  用紙セット有無情報取得部
１２  エンジン制御部（選択部）
１３  給紙部
１４  排紙部
１５  用紙走行部
１６  オペレータパネル部
１７  印刷制御部
３  標準画像形成装置
２  ユーザ端末
４  ケーブル
【図１】
0004603576.tif 000002
【図２】
0004603576.tif 000003
【図３】
0004603576.tif 000004
【図４】
0004603576.tif 000005
【図５】
0004603576.tif 000006
【図６】
0004603576.tif 000007
【図７】
0004603576.tif 000008
【図８】
0004603576.tif 000009
【図９】
0004603576.tif 000010
【図１０】
0004603576.tif 000011
【図１１】
0004603576.tif 000012
【図１２】
0004603576.tif 000013
【図１３】
0004603576.tif 000014
【図１４】
0004603576.tif 000015
【図１５】
0004603576.tif 000016
【図１６】
0004603576.tif 000017
【図１７】
0004603576.tif 000018
【図１８】
0004603576.tif 000019
【図１９】
0004603576.tif 000020
【図２０】
0004603576.tif 000021
【図２１】
0004603576.tif 000022
【図２２】
0004603576.tif 000023
【図２３】
0004603576.tif 000024
【図２４】
0004603576.tif 000025
【図２５】
0004603576.tif 000026
【図２６】
0004603576.tif 000027
【図２７】
0004603576.tif 000028
【図２８】
0004603576.tif 000029
【図２９】
0004603576.tif 000030
【図３０】
0004603576.tif 000031
【図３１】
0004603576.tif 000032